(57)【要約】  本発明は測定配置処理方法及び装置を公開し、該方法は、ソースセルで切り替えプロセス又は再選択プロセスをトリガーした後、ユーザ機器が、ユーザ機器が継続して現在の無線ローカルエリアネットワークＷＬＡＮインタワーキングメカニズムの測定配置を使用することと、ユーザ機器が現在のＷＬＡＮインタワーキングメカニズムの測定配置中のターゲット周波数ポイントを全周波数測定に変更することと、ユーザ機器がターゲットセルに対応するＷＬＡＮインタワーキングメカニズムの測定配置を要求することと、ユーザ機器がターゲットセルに対応するＷＬＡＮインタワーキングメカニズムの測定配置を受信するまでＷＬＡＮインタワーキングメカニズム測定を一時的に停止することの中の少なくとも一つによって無線ローカルエリアネットワークＷＬＡＮインタワーキングメカニズムの測定配置を処理することを含む。本発明によると、関連技術におけるセルの切り替え又はセルの再選択において測定配置を如何に処理するかの問題を解決し、セルの切り替え又は再選択の測定配置の処理が一層好適である。
2016529810.tif 000002
【特許請求の範囲】
【請求項１】
ソースセルで切り替えプロセス又は再選択プロセスをトリガーした後、ユーザ機器が、
前記ユーザ機器が継続して現在の無線ローカルエリアネットワークＷＬＡＮインタワーキングメカニズムの測定配置を使用することと、
前記ユーザ機器が前記現在のＷＬＡＮインタワーキングメカニズムの測定配置中のターゲット周波数ポイントを全周波数測定に変更することと、
前記ユーザ機器がターゲットセルに対応するＷＬＡＮインタワーキングメカニズムの測定配置を要求することと、
前記ユーザ機器がターゲットセルに対応するＷＬＡＮインタワーキングメカニズムの測定配置を受信するまでＷＬＡＮインタワーキングメカニズム測定を一時的に停止することの中の少なくとも一つによって無線ローカルエリアネットワークＷＬＡＮインタワーキングメカニズムの測定配置を処理することを含む測定配置処理方法。
【請求項２】
前記ユーザ機器が前記ターゲットセルに対応するＷＬＡＮインタワーキングメカニズムの測定配置を受信する前、継続して現在のＷＬＡＮインタワーキングメカニズムの測定配置を使用する請求項１に記載の方法。
【請求項３】
前記ターゲットセルに対応するＷＬＡＮインタワーキングメカニズムの測定配置が、アクセスネットワーク発見選択機能ユニットＡＮＤＳＦから送信されたものであるか、又は前記ターゲットセルから送信されたものである請求項２に記載の方法。
【請求項４】
前記ユーザ機器が継続して現在のＷＬＡＮインタワーキングメカニズムの測定配置を使用する場合、
前記ユーザ機器が前記ターゲットセルに切り替え又は再選択した後、前記ユーザ機器が前記ターゲットセルのシステムメッセージで放送したＷＬＡＮインタワーキングメカニズム測定のパラメーターに基づいて現在の測定配置を更新することを更に含む請求項１に記載の方法。
【請求項５】
前記ユーザ機器が前記現在のＷＬＡＮインタワーキングメカニズムの測定配置中のターゲット周波数ポイントを全周波数測定に変更することが、
前記ユーザ機器が前記ソースセルで前記切り替えプロセス又は前記再選択プロセスをトリガーした後、前記ユーザ機器が前記ターゲットセルに対応するＷＬＡＮインタワーキングメカニズムの測定配置を受信していないと、前記ユーザ機器が前記現在のＷＬＡＮインタワーキングメカニズムの測定配置中のターゲット周波数ポイントを全周波数測定に変更することと、又は、
前記ユーザ機器が前記切り替えプロセス又は前記再選択プロセスを完成した後、前記ユーザ機器が前記ターゲットセルに対応するＷＬＡＮインタワーキングメカニズムの測定配置を受信していないと、前記ユーザ機器が前記現在のＷＬＡＮインタワーキングメカニズムの測定配置中のターゲット周波数ポイントを全周波数測定に変更することと、を含む請求項１に記載の方法。
【請求項６】
前記ユーザ機器が前記ターゲットセルに対応するＷＬＡＮインタワーキングメカニズムの測定配置を要求することが、
前記ユーザ機器が前記ソースセルに送信するセル測定レポートに要求を含ませて、前記ターゲットセルに対応するＷＬＡＮインタワーキングメカニズムの測定配置を要求することと、
前記ユーザ機器が前記切り替えプロセス又は前記再選択プロセスを完成した後、前記ターゲットセルで接続を確立して前記ターゲットセルに対応するＷＬＡＮインタワーキングメカニズムの測定配置を要求することと、
前記ユーザ機器がトラッキングエリア更新ＴＡＵ又はルーティングエリア更新ＲＡＵ又は位置エリア更新ＬＡＵプロセスにてＡＮＤＳＦに前記ターゲットセルに対応するＷＬＡＮインタワーキングメカニズムの測定配置を要求することと、
前記ユーザ機器が前記切り替えプロセス又は前記再選択プロセスを完成した後、前記ユーザ機器が前記ＴＡＵ又は前記ＲＡＵ又は前記ＬＡＵプロセスにて前記ターゲットセルに前記ターゲットセルに対応するＷＬＡＮインタワーキングメカニズムの測定配置を要求することの中の少なくとも一つを含む請求項１に記載の方法。
【請求項７】
前記ユーザ機器が前記ソースセルに送信するセル測定レポートに前記要求メッセージを含ませて前記ターゲットセルに対応するＷＬＡＮインタワーキングメカニズムの測定配置を要求した後、
前記ソースセルが前記要求を受信した後、前記要求を切り替え要求メッセージを介して前記ターゲットセルに送信することと、
前記ソースセルが前記ターゲットセルから送信された前記ターゲットセルに対応するＷＬＡＮインタワーキングメカニズムの測定配置を受信することと、
前記ソースセルが前記ターゲットセルに対応するＷＬＡＮインタワーキングメカニズムの測定配置を前記ユーザ機器に送信することと、を更に含む請求項６に記載の方法。
【請求項８】
前記ソースセルが切り替え応答メッセージを介して前記ターゲットセルから送信された前記ターゲットセルに対応するＷＬＡＮインタワーキングメカニズムの測定配置を受信する請求項７に記載の方法。
【請求項９】
前記ユーザ機器が前記ＴＡＵ又は前記ＲＡＵ又は前記ＬＡＵプロセスにおいて前記ＡＮＤＳＦ又は前記ターゲットセルに前記ターゲットセルに対応するＷＬＡＮインタワーキングメカニズムの測定配置を要求した後、
前記ＡＮＤＳＦ又は前記ターゲットセルが前記ユーザ機器の要求を受信した後、前記ターゲットセルに対応するＷＬＡＮインタワーキングメカニズムの測定配置を前記ユーザ機器に送信することを更に含む請求項６に記載の方法。
【請求項１０】
前記ユーザ機器が前記切り替えプロセス又は前記再選択プロセスを完成した後、前記ターゲットセルで接続を確立して前記ターゲットセルに対応するＷＬＡＮインタワーキングメカニズムの測定配置を要求した後、
前記ターゲットセルが前記要求を受信した後、前記ターゲットセルに対応するＷＬＡＮインタワーキングメカニズムの測定配置を前記ユーザ機器に送信することを更に含む請求項６に記載の方法。
【請求項１１】
前記ユーザ機器が前記切り替えプロセス又は前記再選択プロセスを完成した後、前記ターゲットセルで接続を確立して前記ターゲットセルに対応するＷＬＡＮインタワーキングメカニズムの測定配置を要求することが、
前記ユーザ機器が前記ターゲットセルで接続を確立し、ＲＲＣ接続確立プロセスにおいて前記要求を付加するか、又はアップリンク専用シグナルに前記要求を付加することを含む請求項６又は１０に記載の方法。
【請求項１２】
前記ＡＮＤＳＦ又は前記ターゲットセルが、ダウンリンク専用シグナルを介して、前記ターゲットセルに対応するＷＬＡＮインタワーキングメカニズムの測定配置を前記ユーザ機器に送信する請求項９又は１０に記載の方法。
【請求項１３】
前記ターゲットセルに対応するＷＬＡＮインタワーキングメカニズムの測定配置を受信すると、前記ユーザ機器が前記ターゲットセルに対応するＷＬＡＮインタワーキングメカニズムの測定配置を使用することを更に含む請求項５又は６に記載の方法。
【請求項１４】
前記ユーザ機器がターゲットセルに対応するＷＬＡＮインタワーキングメカニズムの測定配置を受信するまでＷＬＡＮインタワーキングメカニズム測定を一時的に停止することが、
前記ユーザ機器が前記ソースセルで前記切り替えプロセス又は前記再選択プロセスをトリガーした後、前記ユーザ機器がターゲットセルに対応するＷＬＡＮインタワーキングメカニズムの測定配置を受信するまでＷＬＡＮインタワーキングメカニズム測定を一時的に停止することと、又は、
前記ユーザ機器が前記切り替えプロセス又は前記再選択プロセスを完成した後、前記ユーザ機器がターゲットセルに対応するＷＬＡＮインタワーキングメカニズムの測定配置を受信するまでＷＬＡＮインタワーキングメカニズム測定を一時的に停止することと、を含む請求項１に記載の方法。
【請求項１５】
前記ユーザ機器が前記ソースセルに対応するＷＬＡＮインタワーキングメカニズムの測定配置をバッファリングし、前記切り替えプロセス又は再選択プロセスに失敗して、前記ユーザ機器が前記ソースセルと再び接続を確立し、又は前記ソースセルを再選択した場合、前記ユーザ機器が前記ターゲット周波数ポイントを前記ソースセルに対応するＷＬＡＮ測定配置に変更することを更に含む請求項５又は６又は１４に記載の方法。
【請求項１６】
前記ソースセルで前記切り替えプロセス又は前記再選択プロセスをトリガーした後、且つ前記ユーザ機器が前記ターゲットセルに対応するＷＬＡＮ測定配置を受信する前、前記ユーザ機器がＷＬＡＮインタワーキングメカニズム測定レポートをトリガーした場合、
前記ユーザ機器が前記ＷＬＡＮインタワーキングメカニズム測定レポートを削除することと、
前記ユーザ機器が前記ターゲットセルに前記ＷＬＡＮインタワーキングメカニズム測定レポートを送信することの中の少なくとも一つを更に含む請求項１に記載の方法。
【請求項１７】
前記ユーザ機器が前記ＷＬＡＮインタワーキングメカニズム測定レポートを削除することが、
前記ユーザ機器が、前記ターゲットセルがＷＬＡＮインタワーキングメカニズムを支援しない場合、前記ＷＬＡＮインタワーキングメカニズム測定レポートを削除することを含む請求項１６に記載の方法。
【請求項１８】
前記ユーザ機器が前記ターゲットセルに前記ＷＬＡＮインタワーキングメカニズム測定レポートを送信することが、
前記ソースセルが前記ターゲットセルに切り替え要求を送信していない場合、前記ユーザ機器が前記ＷＬＡＮインタワーキングメカニズム測定レポートを前記ソースセルに送信し、前記ソースセルが切り替え要求メッセージを介して、前記ＷＬＡＮインタワーキングメカニズム測定レポートを前記ターゲットセルに送信することと、
前記ユーザ機器が前記ターゲットセルに切り替え又は再選択した後、前記ユーザ機器が前記ターゲットセルと接続を確立してバッファリングしていた前記ＷＬＡＮインタワーキングメカニズム測定レポートを送信することと、を含む請求項１６に記載の方法。
【請求項１９】
前記ＷＬＡＮインタワーキングメカニズム測定レポートを前記ターゲットセルに送信した後、
前記ターゲットセルが受信した前記ＷＬＡＮインタワーキングメカニズム測定レポートに基づいて、前記ユーザ機器に対するＷＬＡＮインタワーキング戦略を行うことと、
前記ターゲットセルが前記戦略に対応する戦略命令を切り替えプロセスのシグナル交換を介して前記ソースセルに送信し、前記ソースセルが前記戦略命令を前記ユーザ機器に送信することと、又は、前記ターゲットセルが前記ユーザ機器と確立した接続を介して、前記戦略命令を前記ユーザ機器に送信することと、を更に含む請求項１８に記載の方法。
【請求項２０】
前記測定レポートに、前記測定レポートを受信したセルが前記ユーザ機器のＷＬＡＮインタワーキング戦略を決定するに用いられる、前記測定レポートに対応するＷＬＡＮ測定配置の全部又は一部のパラメーターが含まれる請求項１６乃至１９の中のいずれかに記載の方法。
【請求項２１】
ユーザ機器に位置される測定配置処理装置であって、
ソースセルで切り替えプロセス又は再選択プロセスをトリガーした後、
継続して現在のＷＬＡＮインタワーキングメカニズムの測定配置を使用することと、
前記現在のＷＬＡＮインタワーキングメカニズムの測定配置中のターゲット周波数ポイントを全周波数測定に変更することと、
ターゲットセルに対応するＷＬＡＮインタワーキングメカニズムの測定配置を要求することと、
前記ユーザ機器がターゲットセルに対応するＷＬＡＮインタワーキングメカニズムの測定配置を受信するまでＷＬＡＮインタワーキングメカニズム測定を一時的に停止することの中の少なくとも一つによってＷＬＡＮインタワーキングメカニズムの測定配置を処理するように構成された測定配置処理モジュールを含む測定配置処理装置。
【請求項２２】
ターゲットセルに対応するＷＬＡＮインタワーキングメカニズムの測定配置を要求するための前記ユーザ機器から送信された要求を受信することと、ここで、前記ターゲットセルは前記ユーザ機器がトリガーした切り替えプロセス又は再選択プロセスのターゲットセルであり、
前記ターゲットセルに対応するＷＬＡＮインタワーキングメカニズムの測定配置を前記ユーザ機器に送信することと、を含む測定配置処理方法。
【請求項２３】
前記ユーザ機器から送信された前記要求を受信することが、
ソースセルが前記ユーザ機器から送信された前記要求を含むセル測定レポートを受信することと、
前記ターゲットセルが、前記ユーザ機器が前記切り替えプロセス又は前記再選択プロセスを完成した後、前記ユーザ機器と確立した接続を介して前記要求を受信することと、
ＡＮＤＳＦがＴＡＵ又はＲＡＵ又はＬＡＵプロセスにおいて前記要求を受信することと、
前記ターゲットセルが、前記ユーザ機器が前記切り替えプロセス又は前記再選択プロセスを完成した後、前記ＴＡＵ又は前記ＲＡＵ又は前記ＬＡＵプロセスにおいて前記要求を受信することの中の少なくとも一つを含む請求項２２に記載の方法。
【請求項２４】
前記ソースセルが前記ユーザ機器から送信された前記セル測定レポートを受信した後、
前記ソースセルが、前記要求を切り替え要求メッセージを介して前記ターゲットセルに送信することと、
前記ソースセルが前記ターゲットセルから送信された前記ターゲットセルに対応するＷＬＡＮインタワーキングメカニズムの測定配置を受信することと、
前記ソースセルが前記ターゲットセルに対応するＷＬＡＮインタワーキングメカニズムの測定配置を前記ユーザ機器に送信することと、を更に含む請求項２３に記載の方法。
【請求項２５】
前記ソースセルが切り替え応答メッセージを介して前記ターゲットセルから送信された前記ターゲットセルに対応するＷＬＡＮインタワーキングメカニズムの測定配置を受信する請求項２４に記載の方法。
【請求項２６】
前記ＡＮＤＳＦ又は前記ターゲットセルが前記ＴＡＵ又は前記ＲＡＵ又は前記ＬＡＵプロセスにおいて前記要求を受信した後、
前記ＡＮＤＳＦ又は前記ターゲットセルが前記ターゲットセルに対応するＷＬＡＮインタワーキングメカニズムの測定配置を前記ユーザ機器に送信することを更に含む請求項２３に記載の方法。
【請求項２７】
前記ターゲットセルが前記ユーザ機器と確立した前記接続を介して前記要求を受信した後、
前記ターゲットセルが前記ターゲットセルに対応するＷＬＡＮインタワーキングメカニズムの測定配置を前記ユーザ機器に送信することを更に含む請求項２３に記載の方法。
【請求項２８】
前記ＡＮＤＳＦ又は前記ターゲットセルがダウンリンク専用シグナルを介して前記ターゲットセルに対応するＷＬＡＮインタワーキングメカニズムの測定配置を前記ユーザ機器に送信する請求項２６又は２７に記載の方法。
【請求項２９】
前記ターゲットセルが前記ユーザ機器から送信されたＷＬＡＮインタワーキングメカニズム測定レポートを受信することを更に含み、ここで、前記ＷＬＡＮインタワーキングメカニズム測定レポートの送信は、前記ソースセルで前記切り替えプロセス又は前記再選択プロセスをトリガーした後且つ前記ユーザ機器が前記ターゲットセルに対応するＷＬＡＮ測定配置を受信する前に行われ、前記ユーザ機器によってトリガーされる請求項２２に記載の方法。
【請求項３０】
前記ターゲットセルが前記ユーザ機器から送信された前記ＷＬＡＮインタワーキングメカニズム測定レポートを受信することが、
前記ターゲットセルがソースセルから送信された切り替え要求メッセージを受信することと、ここで、前記切り替え要求メッセージに前記ＷＬＡＮインタワーキングメカニズム測定レポートを含み、前記ソースセルの前記ＷＬＡＮインタワーキング測定レポートは前記ユーザ機器から受信したものであって、
前記ターゲットセルは、前記ユーザ機器が前記ターゲットセルに切り替え又は再選択した後、前記ユーザ機器と確立した接続を介して前記ユーザ機器がバッファリングしていた前記ＷＬＡＮインタワーキングメカニズム測定レポートを受信することの中の少なくとも一つを含む請求項２９に記載の方法。
【請求項３１】
前記ターゲットセルが前記ユーザ機器から送信されたＷＬＡＮインタワーキングメカニズム測定レポートを受信した後、
前記ターゲットセルが受信した前記ＷＬＡＮインタワーキングメカニズム測定レポートに基づいて、前記ユーザ機器に対するＷＬＡＮインタワーキング戦略を決定することと、
前記ターゲットセルが前記戦略に対応する戦略命令を切り替えプロセスのシグナル交換を介して前記ソースセルに送信し、前記ソースセルが前記戦略命令を前記ユーザ機器に送信することと、又は、前記ターゲットセルが前記ユーザ機器と確立した接続を介して、前記戦略命令を前記ユーザ機器に送信することと、を更に含む請求項２９に記載の方法。
【請求項３２】
前記測定レポートに、前記測定レポートを受信したセルが前記ユーザ機器のＷＬＡＮインタワーキング戦略を決定する際に用いられる、前記測定レポートに対応するＷＬＡＮ測定配置の全部又は一部のパラメーターが含まれる請求項２９乃至３１の中のいずれかに記載の方法。
【請求項３３】
ネットワーク側の機器に位置する測定配置処理装置であって、
ターゲットセルに対応するＷＬＡＮインタワーキングメカニズムの測定配置を要求するための前記ユーザ機器から送信された要求を受信するように構成された受信モジュールと、ここで、前記ターゲットセルは前記ユーザ機器がトリガーした切り替えプロセス又は再選択プロセスのターゲットセルであり、
前記ターゲットセルに対応するＷＬＡＮインタワーキングメカニズムの測定配置を前記ユーザ機器に送信するように構成された送信モジュールと、を含む測定配置処理装置。
【発明の詳細な説明】
【技術分野】
【０００１】
本発明は、通信分野に関し、具体的に、測定配置処理方法及び装置に関するものである。
【背景技術】
【０００２】
端末のデータ業務量が膨張式に増加するに伴って、既存のネットワークリソースはますます要求を満たすことができなくなっていて、特に、新時代の通信技術（例えば３Ｇ、長期進化（Ｌｏｎｇ−Ｔｅｒｍ  Ｅｖｏｌｕｔｉｏｎ、ＬＴＥと略称））を幅広く構築できない状況下、ユーザレートや処理量の需要を満たすことができず、ユーザ体験を低下させている。
【０００３】
第３世代パートナーシッププロジェクト（Ｔｈｅ  ３ｒｄ  Ｇｅｎｅｒａｔｉｏｎ  Ｐａｒｔｎｅｒｓｈｉｐ  Ｐｒｏｊｅｃｔ、３ＧＰＰと略称）で提供した無線ネットワーク技術以外に、現在、汎用されている無線ローカルエリアネットワーク（Ｗｉｒｅｌｅｓｓ  Ｌｏｃａｌ  Ａｒｅａ  Ｎｅｔｗｏｒｋ、ＷＬＡＮと略称）、特に電気電子学会（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ、ＩＥＥＥと略称）８０２．１１標準に基づく無線ローカルエリアネットワークは既にホーム、企業ひいてはインターネットにおいてホットポイントへのアクセスに汎用されている。その中、ＷｉＦｉアライアンス（Ｗｉ−Ｆｉ  Ａｌｌｉａｎｃｅ）により提示された技術規範の応用が最も広いので、実際上、ＷｉＦｉネットワークはしばしばＩＥＥＥ  ８０２．１１標準に基づくＷＬＡＮネットワークと同一視され、混同しない状況下、後ろの説明でＷｉＦｉモジュールを用いてネットワークノードにおいてＷＬＡＮを支援する無線受送信及び処理モジュールを説明する。
【０００４】
当該前提下、一部の事業者と会社は既に、ＷＬＡＮと既存の３ＧＰＰネットワークを統合して連合伝送を実現することで、負荷分流及びネットワーク性能の向上の目的を実現することを提案した。現在、３ＧＰＰにより３ＧＰＰネットワークとＷＬＡＮネットワークのインタワーキング（Ｉｎｔｅｒｗｏｒｋｉｎｇ）に関するプロトコルを作成したが、現在のＩｎｔｅｒｗｏｒｋｉｎｇ構成には、例えばユーザ機器（Ｕｓｅｒ  Ｅｑｕｉｐｍｅｎｔ、ＵＥと略称）が３ＧＰＰネットワークとＷＬＡＮネットワークとの間で移動する際に、データストリームの切り替えが遅く、このような場合に二つのネットワークのデータストリームがいずれも３ＧＰＰコアネットワークのエレメントを通過しなければならないので、負荷が大きい等の問題が存在している。
【０００５】
３ｇｐｐ  ＳＡ２はアクセスネットワーク発見選択機能ユニット（Ａｃｃｅｓｓ  Ｎｅｔｗｏｒｋ  Ｄｉｓｃｏｖｅｒｙ  Ｓｕｐｐｏｒｔ  Ｆｕｎｃｔｉｏｎｓ、ＡＮＤＳＦと略称）方案を通過させて、事業者戦略に基づいて端末がターゲットを選択してネットワークにアクセスするようにするモードを提供した。３ＧＰＰ  Ｒ１０にＡＮＤＳＦ標準が定義され、ＡＮＤＳＦをアクセスアンカーとして知能的にネットワークを選択し、ネットワークと端末の協同相互作用を介して、ネットワークへのアクセスの有効分流を実現し、今後のマルチネットワークの協同の運営方向に符合する。ＡＮＤＳＦは、ネットワーク負荷、端末能力、ユーザ契約状況等の情報に基づいて戦略を作成し、端末ユーザがアクセスに最適なネットワークタイプを選択するように支援し、さまざまなアクセス方式の協同運行を実現した。ＡＮＤＳＦを単独に配置することができれば、他のエレメントと一緒に設けることもできる。現在、当該分野ではＡＮＤＳＦをＰＣＣ機器に配置することが可能であることが主な見解である。
【０００６】
ＡＮＤＳＦはコアネットワークに基づくＷＬＡＮ  ｉｎｔｅｒｗｏｒｋｉｎｇ方案で、アクセスネットワークに対する影響は考慮していなく、そして、ＡＮＤＳＦは比較的に静的な方案で、ネットワーク負荷及びチャネル品質の動的変化に効率的に適応できないので、３ｇｐｐアクセスネットワークチームもＷＬＡＮ  ｉｎｔｅｒｗｏｒｋｉｎｇについての検討を開始した。
【０００７】
関連技術に三つの基本的なＷＬＡＮ  ｉｎｔｅｒｗｏｒｋｉｎｇの候補アクセスネットワーク側方案がある。
【０００８】
方案１
３ｇｐｐアクセスネットワーク側がシステムメッセージ又は専用シグナルを介して、ＵＥに補助情報を提供し、端末は補助情報及びアクセスネットワーク以外のエレメント（例えばＡＮＤＳＦ）が提供したルールに従って、如何に業務をＷＬＡＮ又は３ｇｐｐアクセスネットワークに移転するかを決める。該方案において、３ＧＰＰアクセスネットワークとＷＬＡＮとのインタワーキング戦略エンティティはＵＥに位置する。ここで、補助情報コンテンツは、受信信号強度インジケータ（Ｒｅｃｅｉｖｅｄ  Ｓｉｇｎａｌ  Ｓｔｒｅｎｇｔｈ  Ｉｎｄｉｃａｔｉｏｎ、ＷＬＡＮ  ＲＳＳＩと略称）閾値、基本サービスセット（Ｂａｓｉｃ  Ｓｅｒｖｉｃｅ  Ｓｅｔ、ＷＬＡＮ  ＢＳＳと略称）負荷閾値、ＷＬＡＮ  ＷＡＮ  ｍｅｔｒｉｃ閾値及び参照信号強度（Ｒｅｆｅｒｅｎｃｅ  ｓｉｎｇｎａｌ  ｒｅｃｅｉｖｅ  Ｐｏｗｅｒ、ＬＴＥ  ＲＡＮ  ＲＳＲＰと略称）又は受信信号コード電力（Ｒｅｃｅｉｖｅｄ  Ｓｉｇｎａｌ  Ｃｏｄｅ  Ｐｏｗｅｒ、ＵＭＴＳ  ＲＡＮ  ＲＳＣＰと略称）閾値、ＬＴＥ／ＵＭＴＳ  セル負荷レベル、ＬＴＥ／ＵＭＴＳ  セルの最大な割当可能な空きリソースを含む。
【０００９】
方案２
３ｇｐｐアクセスネットワーク側がシステムメッセージ又は専用シグナルを介して、ＵＥに補助情報を提供し、該補助情報は、
ＷＬＡＮ  ＲＳＳＩ閾値、ＷＬＡＮ  ＢＳＳ負荷閾値、ＷＬＡＮ  ＷＡＮ  ｍｅｔｒｉｃ閾値、及びＬＴＥ  ＲＡＮ  ＲＳＲＰ又はＵＭＴＳ  ＲＡＮ  ＲＳＣＰ閾値、ＬＴＥ／ＵＭＴＳ  セル負荷レベル、ＬＴＥ／ＵＭＴＳ  セルの最大な割当可能な空きリソースと、ネットワーク側がＷＬＡＮとインタワーキングしようとする業務タイプインジケータを含む。
【００１０】
３ｇｐｐアクセスネットワーク側が端末にアクセスネットワーク選択パラメーター（３ｇｐｐ  ＲＡＮが提供したルールとＡＮＤＳＦが提供したルールとの間の優先級、ＷＬＡＮと３ｇｐｐ  ＲＡＮとの間の選択優先級、ＷＬＡＮインタワーキング戦略ルール等）を提供し、端末はこれらのパラメーターに基づいて、如何に業務をＷＬＡＮ又は３ｇｐｐアクセスネットワークに移転するかを決定する。該方案において、３ＧＰＰアクセスネットワークとＷＬＡＮとのインタワーキング戦略エンティティは、３ＧＰＰアクセスネットワークとＷＬＡＮとのインタワーキングルール制定エンティティと、３ＧＰＰアクセスネットワークとＷＬＡＮとのインタワーキングプロセストリガーエンティティとに分けられる。ここで、３ＧＰＰアクセスネットワークとＷＬＡＮとのインタワーキングルール制定エンティティは３ｇｐｐアクセスネットワーク側に位置し、３ＧＰＰアクセスネットワークとＷＬＡＮとのインタワーキングプロセストリガーエンティティはＵＥ側に位置する。３ｇｐｐアクセスネットワーク側は３ＧＰＰアクセスネットワークとＷＬＡＮとのインタワーキングルールを制定し、ＵＥは３ｇｐｐアクセスネットワーク側のルールに基づいて、何時３ＧＰＰアクセスネットワークとＷＬＡＮとのインタワーキングプロセスをトリガーするかを決定した後、自体の実際のＷＬＡＮ測定結果及び３ｇｐｐアクセスネットワーク側のルールを結合して、ターゲットとするアクセスネットワーク（３ｇｐｐネットワーク又はＷＬＡＮ）と移転しようとする業務を決定する。
【００１１】
方案３
ＲＲＣ接続状態（ＬＴＥシステム）又はＣＥＬＬ_ＤＣＨ状態（ＵＭＴＳシステム）にある端末について、３ｇｐｐアクセスネットワーク側は端末が如何に業務をＷＬＡＮ又は３ｇｐｐアクセスネットワークに移転するかを決定して端末に報知する。ＲＲＣ  ＩＤＬＥ（ＬＴＥシステムとＵＭＴＳシステム）又はＣＥＬＬ_ＦＡＣＨ、ＣＥＬＬ_ＰＣＨ又はＵＲＡ_ＰＣＨ（ＵＭＴＳシステム）状態にある端末について、方案１又は２の方式を用いる。該方案において、３ＧＰＰアクセスネットワークとＷＬＡＮとのインタワーキング戦略エンティティは３ｇｐｐアクセスネットワーク側に位置し、ＵＥ側は３ＧＰＰアクセスネットワークとＷＬＡＮとのインタワーキングプロセストリガーエンティティを有する（ＵＥがＲＲＣ  ＩＤＬＥ（ＬＴＥシステム）又はＣＥＬＬ_ＦＡＣＨ、ＣＥＬＬ_ＰＣＨ又はＵＲＡ_ＰＣＨ（ＵＭＴＳシステム）状態である場合のみに利用する）。
【００１２】
ネットワーク側がＵＥに、ＷＬＡＮインタワーキング測定レポートをトリガーするトリガーイベントの定義と、測定候補のＷＬＡＮリストと、受信チャネル電力功率インジケータ（Ｒｅｃｅｉｖｅｄ  Ｃｈａｎｎｅｌ  Ｐｏｗｅｒ  Ｉｎｄｉｃａｔｏｒ、ＲＣＰＩと略称）、受信信号対ノイズインジケータ（Ｒｅｃｅｉｖｅｄ  Ｓｉｇｎａｌ  ｔｏ  Ｎｏｉｓｅ  Ｉｎｄｉｃａｔｏｒ、ＲＳＮＩと略称）、基本サービスセットの負荷レベル（Ｂａｓｉｃ  Ｓｅｒｖｉｃｅ  Ｓｅｔ  ｌｏａｄ、ＢＳＳ  Ｌｏａｄと略称）、ＷＡＮ  ｍｅｔｒｉｃｓ（ここで、ＷＬＡＮのアップリンクとダウンリンクのデータレート及び負荷、リンク状態、容量を含む）等のＷＬＡＮ測定量とを含むＷＬＡＮインタワーキングメカニズムの測定配置パラメーターを送信しなければならない。
【００１３】
ＵＥは、上述した測定配置に基づいてＷＬＡＮ測定を行って、３ｇｐｐ  ＲＡＮに測定結果を報知し、３ｇｐｐ  ＲＡＮはＵＥが提供したＷＬＡＮ測定結果及び３ｇｐｐ  ＲＡＮ自体の負荷に基づいて、如何にＷＬＡＮインタワーキングを行うかを決定する。
【発明の概要】
【発明が解決しようとする課題】
【００１４】
上記方案はＷＬＡＮ  ｉｎｔｅｒｗｏｒｋｉｎｇの基本的なプロセスについて定義したもので、ＵＥがセルの切り替え又はセルの再選択を行う際、ソースセルのＷＬＡＮインタワーキングメカニズムの測定配置とターゲットセルのＷＬＡＮインタワーキングメカニズムの測定配置とが異なっている可能性があるが、ＵＥが切り替え／再選択を行う時に行ったＷＬＡＮ測定は依然としてソースセルのＷＬＡＮ測定配置に基づいて行った測定であって、生成されたＷＬＡＮ測定レポートをターゲットセルが利用可能であるか否かの問題は、今の標準では明確化していない。
【００１５】
ＬＴＥのプロトコルによると、ＵＥがセルの切り替えを行う場合、ＵＥがソースセルの３ｇｐｐ  ＲＡＮ測定配置を削除しなければならない。発明者は、ＷＬＡＮインタワーキングメカニズムにこのような方法を利用すると不当で、例えばＷＬＡＮ  ＡＰの分布が密集してくるに伴って二つの隣接セル間の切り替え領域のＷＬＡＮターゲット周波数ポイントが同時に当該二つの隣接セルのＷＬＡＮインタワーキング測定配置に位置する可能性があって、ＵＥがソースセルで切り替え又は再選択を行う際に行うＷＬＡＮ測定結果をターゲットセルが参照可能である可能性もある問題が存在していることを発見した。
【００１６】
関連技術におけるセルの切り替え又はセルの再選択において測定配置を如何に処理するかの問題について、未だに有効な解決案を提示していない。
【００１７】
本発明の実施例は、少なくとも関連技術におけるセルの切り替え又はセルの再選択において測定配置を如何に処理するかの問題を解決できる測定配置処理方法及び装置を提供する。
【課題を解決するための手段】
【００１８】
本発明の実施例の一態様によると、ソースセルで切り替えプロセス又は再選択プロセスをトリガーした後、ユーザ機器が、前記ユーザ機器が継続して現在のＷＬＡＮインタワーキングメカニズムの測定配置を使用することと、前記ユーザ機器が前記現在のＷＬＡＮインタワーキングメカニズムの測定配置中のターゲット周波数ポイントを全周波数測定に変更することと、前記ユーザ機器がターゲットセルに対応するＷＬＡＮインタワーキングメカニズムの測定配置を要求することと、前記ユーザ機器がターゲットセルに対応するＷＬＡＮインタワーキングメカニズムの測定配置を受信するまでＷＬＡＮインタワーキングメカニズム測定を一時的に停止することの中の少なくとも一つによって無線ローカルエリアネットワークＷＬＡＮインタワーキングメカニズムの測定配置を処理することを含む測定配置処理方法を提供する。
【００１９】
前記ユーザ機器が前記ターゲットセルに対応するＷＬＡＮインタワーキングメカニズムの測定配置を受信する前、継続して現在のＷＬＡＮインタワーキングメカニズムの測定配置を使用することが好ましい。
【００２０】
前記ターゲットセルに対応するＷＬＡＮインタワーキングメカニズムの測定配置が、アクセスネットワーク発見選択機能ユニットＡＮＤＳＦから送信されたものであるか、又は前記ターゲットセルから送信されたものであることが好ましい。
【００２１】
前記ユーザ機器が継続して現在のＷＬＡＮインタワーキングメカニズムの測定配置を使用する場合、前記方法が、前記ユーザ機器が前記ターゲットセルに切り替え又は再選択した後、前記ユーザ機器が前記ターゲットセルのシステムメッセージで放送したＷＬＡＮインタワーキングメカニズム測定のパラメーターに基づいて現在の測定配置を更新することを更に含むことが好ましい。
【００２２】
前記ユーザ機器が前記現在のＷＬＡＮインタワーキングメカニズムの測定配置中のターゲット周波数ポイントを全周波数測定に変更することが、前記ユーザ機器が前記ソースセルで前記切り替えプロセス又は前記再選択プロセスをトリガーした後、前記ユーザ機器が前記ターゲットセルに対応するＷＬＡＮインタワーキングメカニズムの測定配置を受信していないと、前記ユーザ機器が前記現在のＷＬＡＮインタワーキングメカニズムの測定配置中のターゲット周波数ポイントを全周波数測定に変更することと、又は、前記ユーザ機器が前記切り替えプロセス又は前記再選択プロセスを完成した後、前記ユーザ機器が前記ターゲットセルに対応するＷＬＡＮインタワーキングメカニズムの測定配置を受信していないと、前記ユーザ機器が前記現在のＷＬＡＮインタワーキングメカニズムの測定配置中のターゲット周波数ポイントを全周波数測定に変更することと、を含むことが好ましい。
【００２３】
前記ユーザ機器が前記ターゲットセルに対応するＷＬＡＮインタワーキングメカニズムの測定配置を要求することが、前記ユーザ機器が前記ソースセルに送信するセル測定レポートに要求を含ませて、前記ターゲットセルに対応するＷＬＡＮインタワーキングメカニズムの測定配置を要求することと、前記ユーザ機器が前記切り替えプロセス又は前記再選択プロセスを完成した後、前記ターゲットセルで接続を確立して前記ターゲットセルに対応するＷＬＡＮインタワーキングメカニズムの測定配置を要求することと、前記ユーザ機器がＴＡＵ又はＲＡＵ又はＬＡＵプロセスにてＡＮＤＳＦに前記ターゲットセルに対応するＷＬＡＮインタワーキングメカニズムの測定配置を要求することと、前記ユーザ機器が前記切り替えプロセス又は前記再選択プロセスを完成した後、前記ユーザ機器が前記ＴＡＵ又は前記ＲＡＵ又は前記ＬＡＵプロセスにて前記ターゲットセルに前記ターゲットセルに対応するＷＬＡＮインタワーキングメカニズムの測定配置を要求することの中の少なくとも一つを含むことが好ましい。
【００２４】
前記ユーザ機器が前記ソースセルに送信するセル測定レポートに前記要求メッセージを含ませて前記ターゲットセルに対応するＷＬＡＮインタワーキングメカニズムの測定配置を要求した後、前記方法が、前記ソースセルが前記要求を受信した後、前記要求を切り替え要求メッセージを介して前記ターゲットセルに送信することと、前記ソースセルが前記ターゲットセルから送信された前記ターゲットセルに対応するＷＬＡＮインタワーキングメカニズムの測定配置を受信することと、前記ソースセルが前記ターゲットセルに対応するＷＬＡＮインタワーキングメカニズムの測定配置を前記ユーザ機器に送信することと、を更に含むことが好ましい。
【００２５】
前記ソースセルが切り替え応答メッセージを介して前記ターゲットセルから送信された前記ターゲットセルに対応するＷＬＡＮインタワーキングメカニズムの測定配置を受信することが好ましい。
【００２６】
前記ユーザ機器が前記ＴＡＵ又は前記ＲＡＵ又は前記ＬＡＵプロセスにおいて前記ＡＮＤＳＦ又は前記ターゲットセルに前記ターゲットセルに対応するＷＬＡＮインタワーキングメカニズムの測定配置を要求した後、前記方法が、前記ＡＮＤＳＦ又は前記ターゲットセルが前記ユーザ機器の要求を受信した後、前記ターゲットセルに対応するＷＬＡＮインタワーキングメカニズムの測定配置を前記ユーザ機器に送信することを更に含むことが好ましい。
【００２７】
前記ユーザ機器が前記切り替えプロセス又は前記再選択プロセスを完成した後、前記ターゲットセルで接続を確立して前記ターゲットセルに対応するＷＬＡＮインタワーキングメカニズムの測定配置を要求した後、前記方法が、前記ターゲットセルが前記要求を受信した後、前記ターゲットセルに対応するＷＬＡＮインタワーキングメカニズムの測定配置を前記ユーザ機器に送信することを更に含むことが好ましい。
【００２８】
前記ユーザ機器が前記切り替えプロセス又は前記再選択プロセスを完成した後、前記ターゲットセルで接続を確立して前記ターゲットセルに対応するＷＬＡＮインタワーキングメカニズムの測定配置を要求することが、前記ユーザ機器が前記ターゲットセルで接続を確立し、ＲＲＣ接続確立プロセスにおいて前記要求を付加するか、又はアップリンク専用シグナルに前記要求を付加することを含むことが好ましい。
【００２９】
前記ＡＮＤＳＦ又は前記ターゲットセルが、ダウンリンク専用シグナルを介して、前記ターゲットセルに対応するＷＬＡＮインタワーキングメカニズムの測定配置を前記ユーザ機器に送信することが好ましい。
【００３０】
前記方法が、前記ターゲットセルに対応するＷＬＡＮインタワーキングメカニズムの測定配置を受信すると、前記ユーザ機器が前記ターゲットセルに対応するＷＬＡＮインタワーキングメカニズムの測定配置を使用することを更に含むことが好ましい。
【００３１】
前記ユーザ機器がターゲットセルに対応するＷＬＡＮインタワーキングメカニズムの測定配置を受信するまでＷＬＡＮインタワーキングメカニズム測定を一時的に停止することが、前記ユーザ機器が前記ソースセルで前記切り替えプロセス又は前記再選択プロセスをトリガーした後、前記ユーザ機器がターゲットセルに対応するＷＬＡＮインタワーキングメカニズムの測定配置を受信するまでＷＬＡＮインタワーキングメカニズム測定を一時的に停止することと、又は、前記ユーザ機器が前記切り替えプロセス又は前記再選択プロセスを完成した後、前記ユーザ機器がターゲットセルに対応するＷＬＡＮインタワーキングメカニズムの測定配置を受信するまでＷＬＡＮインタワーキングメカニズム測定を一時的に停止することと、を含むことが好ましい。
【００３２】
前記方法が、前記ユーザ機器が前記ソースセルに対応するＷＬＡＮインタワーキングメカニズムの測定配置をバッファリングし、前記切り替えプロセス又は再選択プロセスに失敗して、前記ユーザ機器が前記ソースセルと再び接続を確立し、又は前記ソースセルを再選択した場合、前記ユーザ機器が前記ターゲット周波数ポイントを前記ソースセルに対応するＷＬＡＮ測定配置に変更することを更に含むことが好ましい。前記ユーザ機器は前記ＷＬＡＮインタワーキングメカニズムの測定配置を前記ソースセルに対応するＷＬＡＮインタワーキングメカニズムの測定配置に変更する。
【００３３】
前記ソースセルで前記切り替えプロセス又は前記再選択プロセスをトリガーした後、且つ前記ユーザ機器が前記ターゲットセルに対応するＷＬＡＮ測定配置を受信する前、前記ユーザ機器がＷＬＡＮインタワーキングメカニズム測定レポートをトリガーした場合、前記方法が、前記ユーザ機器が前記ＷＬＡＮインタワーキングメカニズム測定レポートを削除することと、前記ユーザ機器が前記ターゲットセルに前記ＷＬＡＮインタワーキングメカニズム測定レポートを送信することの中の少なくとも一つを更に含むことが好ましい。
【００３４】
前記ユーザ機器が前記ＷＬＡＮインタワーキングメカニズム測定レポートを削除することが、前記ユーザ機器が、前記ターゲットセルがＷＬＡＮインタワーキングメカニズムを支援しない場合、前記ＷＬＡＮインタワーキングメカニズム測定レポートを削除することを含むことが好ましい。
【００３５】
前記ユーザ機器が前記ターゲットセルに前記ＷＬＡＮインタワーキングメカニズム測定レポートを送信することが、前記ソースセルが前記ターゲットセルに切り替え要求を送信していない場合、前記ユーザ機器が前記ＷＬＡＮインタワーキングメカニズム測定レポートを前記ソースセルに送信し、前記ソースセルが切り替え要求メッセージを介して、前記ＷＬＡＮインタワーキングメカニズム測定レポートを前記ターゲットセルに送信することと、前記ユーザ機器が前記ターゲットセルに切り替え又は再選択した後、前記ユーザ機器が前記ターゲットセルと接続を確立してバッファリングしていた前記ＷＬＡＮインタワーキングメカニズム測定レポートを送信することと、を含むことが好ましい。
【００３６】
前記ＷＬＡＮインタワーキングメカニズム測定レポートを前記ターゲットセルに送信した後、前記方法が、前記ターゲットセルが受信した前記ＷＬＡＮインタワーキングメカニズム測定レポートに基づいて、前記ユーザ機器に対するＷＬＡＮインタワーキング戦略を行うことと、前記ターゲットセルが前記戦略に対応する戦略命令を切り替えプロセスのシグナル交換を介して前記ソースセルに送信し、前記ソースセルが前記戦略命令を前記ユーザ機器に送信することと、又は、前記ターゲットセルが前記ユーザ機器と確立した接続を介して、前記戦略命令を前記ユーザ機器に送信することと、を更に含むことが好ましい。
【００３７】
前記測定レポートに、前記測定レポートを受信したセルが前記ユーザ機器のＷＬＡＮインタワーキング戦略を決定するに用いられる、前記測定レポートに対応するＷＬＡＮ測定配置の全部又は一部のパラメーターが含まれることが好ましい。
【００３８】
本発明の実施例の他の一態様によると、ユーザ機器に位置される測定配置処理装置であって、ソースセルで切り替えプロセス又は再選択プロセスをトリガーした後、継続して現在のＷＬＡＮインタワーキングメカニズムの測定配置を使用することと、前記現在のＷＬＡＮインタワーキングメカニズムの測定配置中のターゲット周波数ポイントを全周波数測定に変更することと、ターゲットセルに対応するＷＬＡＮインタワーキングメカニズムの測定配置を要求することと、前記ユーザ機器がターゲットセルに対応するＷＬＡＮインタワーキングメカニズムの測定配置を受信するまでＷＬＡＮインタワーキングメカニズム測定を一時的に停止することの中の少なくとも一つによってＷＬＡＮインタワーキングメカニズムの測定配置を処理するように構成された測定配置処理モジュールを含む測定配置処理装置を提供する。
【００３９】
本発明の実施例の他の一態様によると、ターゲットセルに対応するＷＬＡＮインタワーキングメカニズムの測定配置を要求するための前記ユーザ機器から送信された要求を受信することと、前記ターゲットセルに対応するＷＬＡＮインタワーキングメカニズムの測定配置を前記ユーザ機器に送信することと、を含み、前記ターゲットセルが前記ユーザ機器がトリガーした切り替えプロセス又は再選択プロセスのターゲットセルである測定配置処理方法を提供する。
【００４０】
前記ユーザ機器から送信された前記要求を受信することが、ソースセルが前記ユーザ機器から送信された前記要求を含むセル測定レポートを受信することと、前記ターゲットセルが、前記ユーザ機器が前記切り替えプロセス又は前記再選択プロセスを完成した後、前記ユーザ機器と確立した接続を介して前記要求を受信することと、ＡＮＤＳＦがＴＡＵ又はＲＡＵ又はＬＡＵプロセスにおいて前記要求を受信することと、前記ターゲットセルが、前記ユーザ機器が前記切り替えプロセス又は前記再選択プロセスを完成した後、前記ＴＡＵ又は前記ＲＡＵ又は前記ＬＡＵプロセスにおいて前記要求を受信することの中の少なくとも一つを含むことが好ましい。
【００４１】
前記ソースセルが前記ユーザ機器から送信された前記セル測定レポートを受信した後、前記方法が、前記ソースセルが、前記要求を切り替え要求メッセージを介して前記ターゲットセルに送信することと、前記ソースセルが前記ターゲットセルから送信された前記ターゲットセルに対応するＷＬＡＮインタワーキングメカニズムの測定配置を受信することと、前記ソースセルが前記ターゲットセルに対応するＷＬＡＮインタワーキングメカニズムの測定配置を前記ユーザ機器に送信することと、を更に含むことが好ましい。
【００４２】
前記ソースセルが切り替え応答メッセージを介して前記ターゲットセルから送信された前記ターゲットセルに対応するＷＬＡＮインタワーキングメカニズムの測定配置を受信することが好ましい。
【００４３】
前記ＡＮＤＳＦ又は前記ターゲットセルが前記ＴＡＵ又は前記ＲＡＵ又は前記ＬＡＵプロセスにおいて前記要求を受信した後、前記方法が、前記ＡＮＤＳＦ又は前記ターゲットセルが前記ターゲットセルに対応するＷＬＡＮインタワーキングメカニズムの測定配置を前記ユーザ機器に送信することを更に含むことが好ましい。
【００４４】
前記ターゲットセルが前記ユーザ機器と確立した前記接続を介して前記要求を受信した後、前記方法が、前記ターゲットセルが前記ターゲットセルに対応するＷＬＡＮインタワーキングメカニズムの測定配置を前記ユーザ機器に送信することを更に含むことが好ましい。
【００４５】
前記ＡＮＤＳＦ又は前記ターゲットセルがダウンリンク専用シグナルを介して前記ターゲットセルに対応するＷＬＡＮインタワーキングメカニズムの測定配置を前記ユーザ機器に送信することが好ましい。
【００４６】
前記方法が、前記ターゲットセルが前記ユーザ機器から送信されたＷＬＡＮインタワーキングメカニズム測定レポートを受信することを更に含み、ここで、前記ＷＬＡＮインタワーキングメカニズム測定レポートの送信は、前記ソースセルで前記切り替えプロセス又は前記再選択プロセスをトリガーした後且つ前記ユーザ機器が前記ターゲットセルに対応するＷＬＡＮ測定配置を受信する前に行われ、前記ユーザ機器によってトリガーされることが好ましい。
【００４７】
前記ターゲットセルが前記ユーザ機器から送信された前記ＷＬＡＮインタワーキングメカニズム測定レポートを受信することが、前記ターゲットセルがソースセルから送信された切り替え要求メッセージを受信することと、ここで、前記切り替え要求メッセージに前記ＷＬＡＮインタワーキングメカニズム測定レポートを含み、前記ソースセルの前記ＷＬＡＮインタワーキング測定レポートは前記ユーザ機器から受信したものであって、前記ターゲットセルは、前記ユーザ機器が前記ターゲットセルに切り替え又は再選択した後、前記ユーザ機器と確立した接続を介して前記ユーザ機器がバッファリングしていた前記ＷＬＡＮインタワーキングメカニズム測定レポートを受信することの中の少なくとも一つを含むことが好ましい。
【００４８】
前記ターゲットセルが前記ユーザ機器から送信されたＷＬＡＮインタワーキングメカニズム測定レポートを受信した後、前記方法が、前記ターゲットセルが受信した前記ＷＬＡＮインタワーキングメカニズム測定レポートに基づいて、前記ユーザ機器に対するＷＬＡＮインタワーキング戦略を決定することと、前記ターゲットセルが前記戦略に対応する戦略命令を切り替えプロセスのシグナル交換を介して前記ソースセルに送信し、前記ソースセルが前記戦略命令を前記ユーザ機器に送信することと、又は、前記ターゲットセルが前記ユーザ機器と確立した接続を介して、前記戦略命令を前記ユーザ機器に送信することと、を更に含むことが好ましい。
【００４９】
前記測定レポートに、前記測定レポートを受信したセルが前記ユーザ機器のＷＬＡＮインタワーキング戦略を決定する際に用いられる、前記測定レポートに対応するＷＬＡＮ測定配置の全部又は一部のパラメーターが含まれることが好ましい。
【００５０】
本発明の実施例の他の一態様によると、ターゲットセルに対応するＷＬＡＮインタワーキングメカニズムの測定配置を要求するための前記ユーザ機器から送信された要求を受信するように構成された受信モジュールと、ここで、前記ターゲットセルは前記ユーザ機器がトリガーした切り替えプロセス又は再選択プロセスのターゲットセルであり、前記ターゲットセルに対応するＷＬＡＮインタワーキングメカニズムの測定配置を前記ユーザ機器に送信するように構成された送信モジュールと、を含む測定配置処理装置を提供する。
【００５１】
本発明の実施例によると、ソースセルで切り替えプロセス又は再選択プロセスをトリガーした後、ユーザ機器が上述した少なくとも一つ処理方式で無線ローカルエリアネットワークＷＬＡＮインタワーキングメカニズムの測定配置を処理することで、関連技術におけるセルの切り替え又はセルの再選択において如何に測定配置を処理するかの問題を解決し、セルの切り替え又は再選択の測定配置の処理が一層好適である。
【図面の簡単な説明】
【００５２】
ここで説明する図面は本発明の実施例を理解させるためのもので、本発明の一部を構成し、本発明に示す実施例及びその説明は本発明を解釈するためのもので、本発明を不当に限定するものではない。
【図１】本発明の実施例に係る測定配置処理方法を示すフローチャートである。
【図２】本発明の好適な実施例１に係るセル切り替え状況を示すフローチャートである。
【図３】本発明の好適な実施例１に係るセル再選択状況を示すフローチャートである。
【図４】本発明の好適な実施例２に係るフローチャートである。
【発明を実施するための形態】
【００５３】
ここで、衝突しない限り、本願の実施例及び実施例中の特徴を互いに結合することができる。以下、図面を参照しつつ実施例を結合して本発明を詳しく説明する。
【００５４】
本実施例において測定配置処理方法を提供し、図１は本発明の実施例に係る測定配置処理方法を示すフローチャートで、図１に示すように、該方法は以下のステップを含む。
【００５５】
ソースセルで切り替えプロセス又は再選択プロセスをトリガーする（ステップＳ１０２）。
【００５６】
ソースセルで切り替えプロセス又は再選択プロセスをトリガーした後、ユーザ機器が、以下の方式の中の少なくとも一つによって無線ローカルエリアネットワークＷＬＡＮインタワーキングメカニズムの測定配置を処理する（ステップＳ１０４）：方式１、ユーザ機器が継続して現在のＷＬＡＮインタワーキングメカニズムの測定配置を使用する；方式２、ユーザ機器が現在のＷＬＡＮインタワーキングメカニズムの測定配置中のターゲット周波数ポイントを全周波数測定に変更する；方式３、ユーザ機器がターゲットセルに対応するＷＬＡＮインタワーキングメカニズムの測定配置を要求する；方式４、ユーザ機器がターゲットセルに対応するＷＬＡＮインタワーキングメカニズムの測定配置を受信するまでＷＬＡＮインタワーキングメカニズム測定を一時的に停止する。
【００５７】
上記ステップによって、関連技術におけるセルの切り替え又はセルの再選択において測定配置を如何に処理するかの問題を解決し、セルの切り替え又は再選択の測定配置の処理が一層好適である。上記四つの方式を単独に使用することができれば、結合して使用することもでき、以下、当該四つの方式の好適な実施形態を説明する。
【００５８】
方式１において、現在のＷＬＡＮインタワーキングメカニズムの測定配置を継続して使用することができ、ターゲットセルに対応するＷＬＡＮインタワーキングメカニズムの測定配置を受信する前、継続して現在のＷＬＡＮインタワーキングメカニズムの測定配置を使用することが好ましい。該ターゲットセルに対応するＷＬＡＮインタワーキングメカニズムの測定配置がアクセスネットワーク発見選択機能ユニットＡＮＤＳＦから送信されたもの、又はターゲットセルから送信されたものであることが好ましい。
【００５９】
ユーザ機器が継続して現在のＷＬＡＮインタワーキングメカニズムの測定配置を使用する場合、方法が、ユーザ機器がターゲットセルに切り替え又は再選択した後、ユーザ機器がターゲットセルのシステムメッセージで放送したＷＬＡＮインタワーキングメカニズム測定のパラメーターに基づいて現在の測定配置を更新することが好ましい。
【００６０】
方式２において、２種類の好適な実施方式があって、その一つは、ユーザ機器が、ソースセルで切り替えプロセス又は再選択プロセスをトリガーした後、ユーザ機器がターゲットセルに対応するＷＬＡＮインタワーキングメカニズムの測定配置を受信していないと、現在のＷＬＡＮインタワーキングメカニズムの測定配置中のターゲット周波数ポイントを全周波数測定に変更することができ、他の一つは、ユーザ機器が、切り替えプロセス又は再選択プロセスを完成した後、ユーザ機器がターゲットセルに対応するＷＬＡＮインタワーキングメカニズムの測定配置を受信していないと、現在のＷＬＡＮインタワーキングメカニズムの測定配置中のターゲット周波数ポイントを全周波数測定に変更することができる。
【００６１】
切り替えプロセス又は再選択プロセスに失敗した後、ユーザ機器が、ターゲット周波数ポイントをソースセルに対応するＷＬＡＮ測定配置に変更することが好ましい。
【００６２】
方式３において、ユーザ機器がターゲットセルに対応するＷＬＡＮインタワーキングメカニズムの測定配置を要求することは、ユーザ機器がソースセルに送信するセル測定レポートに要求を含ませてターゲットセルに対応するＷＬＡＮインタワーキングメカニズムの測定配置を要求することと、ユーザ機器が切り替えプロセス又は再選択プロセスを完成した後、ターゲットセルで接続を確立してターゲットセルに対応するＷＬＡＮインタワーキングメカニズムの測定配置を要求する（例えば、ＲＲＣ接続確立プロセスにおいて要求を付加するか、又はアップリンク専用シグナルに要求を付加することもできる）ことと、ユーザ機器がトラッキングエリア更新（Ｔｒａｃｋｉｎｇ  Ａｒｅａ  Ｕｐｄａｔｅ、ＴＡＵと略称）又はルーティングエリア更新（Ｒｏｕｔｅ  Ａｒｅａ  Ｕｐｄａｔｅ、ＲＡＵと略称）又は位置エリア更新（Ｌｏｃａｔｉｏｎ  Ａｒｅａ  Ｕｐｄａｔｅ、ＬＡＵと略称）プロセスにおいてＡＮＤＳＦにターゲットセルに対応するＷＬＡＮインタワーキングメカニズムの測定配置を要求することと、ユーザ機器が切り替えプロセス又は再選択プロセスを完成した後、ユーザ機器がＴＡＵ又はＲＡＵ又はＬＡＵプロセスにおいてターゲットセルに、ターゲットセルに対応するＷＬＡＮインタワーキングメカニズムの測定配置を要求することの中の少なくとも一つを含む。
【００６３】
以下、幾つかの例でユーザ機器がターゲットセルに対応するＷＬＡＮインタワーキングメカニズムの測定配置を要求した後のネットワーク側の操作を説明し、以下の幾つかの例は好適に例にすぎない。
【００６４】
例１について、ユーザ機器がソースセルに送信するセル測定レポートに要求メッセージを含ませてターゲットセルに対応するＷＬＡＮインタワーキングメカニズムの測定配置を要求した後、ソースセルが要求を受信した後、要求を切り替え要求メッセージを介してターゲットセルに送信する。ソースセルはターゲットセルから送信されたターゲットセルに対応するＷＬＡＮインタワーキングメカニズムの測定配置を受信する。ソースセルは、ターゲットセルに対応するＷＬＡＮインタワーキングメカニズムの測定配置をユーザ機器に送信する。
【００６５】
ソースセルが切り替え応答メッセージを介して、ターゲットセルから送信されたターゲットセルに対応するＷＬＡＮインタワーキングメカニズムの測定配置を受信することが好ましい。
【００６６】
例２について、ユーザ機器がＴＡＵ又はＲＡＵ又はＬＡＵプロセスにおいて、ＡＮＤＳＦ又はターゲットセルに、ターゲットセルに対応するＷＬＡＮインタワーキングメカニズムの測定配置を要求した後、ＡＮＤＳＦ又はターゲットセルはユーザ機器の要求を受信した後、ターゲットセルに対応するＷＬＡＮインタワーキングメカニズムの測定配置をユーザ機器に送信する。
【００６７】
例３について、ユーザ機器が切り替えプロセス又は再選択プロセスを完成した後、ターゲットセルで接続を確立してターゲットセルに対応するＷＬＡＮインタワーキングメカニズムの測定配置を要求した後、ターゲットセルは要求を受信した後、ターゲットセルに対応するＷＬＡＮインタワーキングメカニズムの測定配置をユーザ機器に送信する。
【００６８】
上述した三つの例において、ＡＮＤＳＦ又はターゲットセルは、ダウンリンク専用シグナルを介して、ターゲットセルに対応するＷＬＡＮインタワーキングメカニズムの測定配置をユーザ機器に送信する。
【００６９】
上述したネットワーク側の操作に対応して、本実施例において他の測定配置処理方法を提供し、該方法は、ユーザ機器から送信された要求を受信することと、ここで、要求はターゲットセルに対応するＷＬＡＮインタワーキングメカニズムの測定配置を要求するためのものであって、ターゲットセルはユーザ機器がトリガーした切り替えプロセス又は再選択プロセスのターゲットセルであって；ターゲットセルに対応するＷＬＡＮインタワーキングメカニズムの測定配置をユーザ機器に送信することと、を含む。
【００７０】
ユーザ機器から送信された要求を受信することが、少なくとも、ソースセルが要求を含むユーザ機器から送信されたセル測定レポートを受信することと、ターゲットセルが、ユーザ機器が切り替えプロセス又は再選択プロセスを完成した後、ユーザ機器と確立した接続を介して要求を受信することと、ＡＮＤＳＦがＴＡＵ又はＲＡＵ又はＬＡＵプロセスにおいて要求を受信することと、ターゲットセルが、ユーザ機器が切り替えプロセス又は再選択プロセスを完成した後、ＴＡＵ又はＲＡＵ又はＬＡＵプロセスにおいて要求を受信することの中の一つを含むことが好ましい。
【００７１】
ソースセルがユーザ機器から送信されたセル測定レポートを受信した後、該プロセスが、ソースセルが要求を切り替え要求メッセージを介してターゲットセルに送信することと、ソースセルがターゲットセルから送信されたターゲットセルに対応するＷＬＡＮインタワーキングメカニズムの測定配置を受信することと、ソースセルがターゲットセルに対応するＷＬＡＮインタワーキングメカニズムの測定配置をユーザ機器に送信することと、を更に含むことが好ましい。
【００７２】
ソースセルが切り替え応答メッセージを介してターゲットセルから送信されたターゲットセルに対応するＷＬＡＮインタワーキングメカニズムの測定配置を受信することが好ましい。
【００７３】
ＡＮＤＳＦ又はターゲットセルが、ＴＡＵ又はＲＡＵ又はＬＡＵプロセスにおいて要求を受信した後、上記プロセスが、ＡＮＤＳＦ又はターゲットセルがターゲットセルに対応するＷＬＡＮインタワーキングメカニズムの測定配置をユーザ機器に送信することを更に含むことが好ましい。
【００７４】
ターゲットセルがユーザ機器と確立した接続を介して要求を受信した後、上記プロセスが、ターゲットセルがターゲットセルに対応するＷＬＡＮインタワーキングメカニズムの測定配置をユーザ機器に送信することを更に含むことが好ましい。
【００７５】
ＡＮＤＳＦ又はターゲットセルがダウンリンク専用シグナルを介してターゲットセルに対応するＷＬＡＮインタワーキングメカニズムの測定配置をユーザ機器に送信することが好ましい。
【００７６】
上記プロセスが、ターゲットセルがユーザ機器から送信されたＷＬＡＮインタワーキングメカニズム測定レポートを受信することを更に含み、ここで、ＷＬＡＮインタワーキングメカニズム測定レポートの送信は、ソースセルで切り替えプロセス又は再選択プロセスをトリガーした後且つユーザ機器がターゲットセルに対応するＷＬＡＮ測定配置を受信する前に行われ、ユーザ機器によりトリガーされる。
【００７７】
ターゲットセルがユーザ機器から送信されたＷＬＡＮインタワーキングメカニズム測定レポートを受信することが、ターゲットセルがソースセルから送信された切り替え要求メッセージを受信することと、ここで、切り替え要求メッセージにＷＬＡＮインタワーキングメカニズム測定レポートが含まれていて、ソースセルのＷＬＡＮインタワーキング測定レポートはユーザ機器から受信したものであって；ターゲットセルが、ユーザ機器がターゲットセルに切り替え又は再選択した後、ユーザ機器と確立した接続を介してユーザ機器がバッファリングしていたＷＬＡＮインタワーキングメカニズム測定レポートを受信することの中の少なくとも一つを含むことが好ましい。
【００７８】
ターゲットセルがユーザ機器から送信されたＷＬＡＮインタワーキングメカニズム測定レポートを受信した後、上記プロセスが、ターゲットセルが受信したＷＬＡＮインタワーキングメカニズム測定レポートに基づいて、ユーザ機器に対するＷＬＡＮインタワーキング戦略を決定することと、ターゲットセルが決定に対応する戦略命令を切り替えプロセスのシグナル交換を介してソースセルに送信し、ソースセルが戦略命令をユーザ機器に送信することと、又は、ターゲットセルがユーザ機器と確立した接続を介して、戦略命令をユーザ機器に送信することと、を更に含むことが好ましい。
【００７９】
測定レポートに測定レポートに対応するＷＬＡＮ測定配置の全部又は一部のパラメーターが含まれていて、全部又は一部のパラメーターは測定レポートを受信したセルがユーザ機器のＷＬＡＮインタワーキング戦略を決定する際に用いられる。
【００８０】
本実施例において測定配置処理装置を提供し、上述したネットワーク側機器に位置するものであって、該装置は受信モジュールと送信モジュールとを含み、ここで、受信モジュールはユーザ機器から送信された要求を受信するように構成され、ここで、要求はターゲットセルに対応するＷＬＡＮインタワーキングメカニズムの測定配置を要求するためのものであって、ターゲットセルはユーザ機器がトリガーした切り替えプロセス又は再選択プロセスのターゲットセルであって、送信モジュールは受信モジュールに結合されて、ターゲットセルに対応するＷＬＡＮインタワーキングメカニズムの測定配置をユーザ機器に送信するように構成される。
【００８１】
ターゲットセルに対応するＷＬＡＮインタワーキングメカニズムの測定配置を受信すると、ユーザ機器はターゲットセルに対応するＷＬＡＮインタワーキングメカニズムの測定配置を使用する。
【００８２】
上記方式２、３、４において、ユーザ機器がソースセルに対応するＷＬＡＮインタワーキングメカニズムの測定配置をバッファリングし、切り替えプロセス又は再選択プロセスに失敗した後、ユーザ機器が再びソースセルと接続を確立する、又はソースセルを再選択する場合、ユーザ機器はＷＬＡＮインタワーキングメカニズムの測定配置をソースセルに対応するＷＬＡＮインタワーキングメカニズムの測定配置に変更する。
【００８３】
方式４において、ユーザ機器が、ソースセルで切り替えプロセス又は再選択プロセスをトリガーした後、ユーザ機器がターゲットセルに対応するＷＬＡＮインタワーキングメカニズムの測定配置を受信するまでＷＬＡＮインタワーキングメカニズム測定を一時的に停止し、又は、ユーザ機器が、切り替えプロセス又は再選択プロセスを完成した後、ユーザ機器がターゲットセルに対応するＷＬＡＮインタワーキングメカニズムの測定配置を受信するまでＷＬＡＮインタワーキングメカニズム測定を一時的に停止することが好ましい。
【００８４】
四つの方式について、ソースセルで切り替えプロセス又は再選択プロセスをトリガーした後、且つユーザ機器がターゲットセルに対応するＷＬＡＮ測定配置を受信する前、ユーザ機器がＷＬＡＮインタワーキングメカニズム測定レポートをトリガーした場合、好適な方式として、ユーザ機器がＷＬＡＮインタワーキングメカニズム測定レポートを削除する（例えば、ユーザ機器はターゲットセルがＷＬＡＮインタワーキングメカニズムを支援しない場合、ＷＬＡＮインタワーキングメカニズム測定レポートを削除することができる）ことと、ユーザ機器がターゲットセルにＷＬＡＮインタワーキングメカニズム測定レポートを送信することの中の少なくとも一つの処理を行うことができる。
【００８５】
ユーザ機器がターゲットセルに測定レポートを送信することが、ソースセルがターゲットセルに切り替え要求を送信していない場合、ユーザ機器が測定レポートをソースセルに送信し、ソースセルが切り替え要求メッセージを介してＷＬＡＮインタワーキングメカニズム測定レポートをターゲットセルに送信することと、ユーザ機器がターゲットセルに切り替え又は再選択した後、ユーザ機器がターゲットセルと接続を確立してバッファリングしていた測定レポートを送信することを含むことが好ましい。
【００８６】
ターゲットセルが受信したＷＬＡＮインタワーキングメカニズム測定レポートに基づいて、ユーザ機器に対するＷＬＡＮインタワーキング戦略を決定し、ターゲットセルが決定に対応する戦略命令を切り替えプロセスのシグナル交換を介してソースセルに送信し、ソースセルが戦略命令をユーザ機器に送信し、又は、ターゲットセルがユーザ機器と確立した接続を介して、戦略命令をユーザ機器に送信することが好ましい。
【００８７】
測定レポートに測定レポートに対応するＷＬＡＮ測定配置の全部又は一部のパラメーターが含まれていて、全部又は一部のパラメーターは測定レポートを受信したセルがユーザ機器のＷＬＡＮインタワーキング戦略を決定する際に用いられるものであることが好ましい。
【００８８】
本実施例において、測定配置処理装置を提供し、ユーザ機器に位置するものであって、該装置は測定配置処理モジュールを含み、測定配置処理モジュールは上記方法及び方法の好適な実施例を実現することができ、例えば該測定配置処理モジュールは、ソースセルで切り替えプロセス又は再選択プロセスをトリガーした後、継続して現在のＷＬＡＮインタワーキングメカニズムの測定配置を使用する方式と、現在のＷＬＡＮインタワーキングメカニズムの測定配置中のターゲット周波数ポイントを全周波数測定に変更する方式と、ターゲットセルに対応するＷＬＡＮインタワーキングメカニズムの測定配置を要求する方式と、ユーザ機器がターゲットセルに対応するＷＬＡＮインタワーキングメカニズムの測定配置を受信するまでＷＬＡＮインタワーキングメカニズム測定を一時的に停止する方式の中のなくとも一つによってＷＬＡＮインタワーキングメカニズムの測定配置を処理するように構成される。
【００８９】
該測定配置処理モジュールの機能をプロセッサで実現することもできる。
【００９０】
以下、好適な実施例を結合して説明する。
【００９１】
以下の幾つかの好適な実施例において端末によるセル切り替え又はセル再選択プロセスにおけるＷＬＡＮインタワーキング測定配置管理方法を提供し、ソースセルとターゲットセルのＷＬＡＮインタワーキング測定配置の差異によるＵＥのＷＬＡＮ測定レポートの有効性問題を解決する。
【００９２】
以下の好適な実施例において、ＵＥがソースセルでＨＯプロセス又は再選択プロセスをトリガーすると、ＵＥは以下の方法の中の一つによってＷＬＡＮインタワーキングメカニズムの測定配置を乖離する（以下、ＷＬＡＮ測定配置と略称する）：
ａ）、（端末側）ＵＥがソースセルでＨＯプロセス又は再選択プロセスをトリガーすると、ＵＥはターゲットセルに対応するＷＬＡＮインタワーキングメカニズム測定配置を受信する前、ＵＥは自分の既存のＷＬＡＮインタワーキングメカニズム測定配置が継続して有効であると認めて、継続して既存のＷＬＡＮインタワーキングメカニズム測定配置を使用して、ＷＬＡＮインタワーキングメカニズム測定又はＷＬＡＮインタワーキングメカニズム測定レポートの報知を行う。
【００９３】
ターゲットセルに対応するＷＬＡＮ測定配置をターゲット基地局(ｅＮＢ／ＲＮＣ)又はＡＮＤＳＦによりＵＥに送信することが好ましい。
【００９４】
ＵＥがターゲットセルに切り替え又は再選択した後、ターゲットセルのシステムメッセージでＷＬＡＮ測定に関するパラメーターを放送すると、ＵＥがシステムメッセージ中のＷＬＡＮ測定に関するパラメーターに基づいて自分の既存のＷＬＡＮ測定配置中の対応するパラメーターを更新することが好ましい。
【００９５】
ｂ）、（端末側）ＵＥがソースセルでＨＯプロセス又は再選択プロセスをトリガーし、又はＵＥがＨＯ／再選択を完成した後、ターゲットセルに対応するＷＬＡＮ測定配置を受信する前、ＵＥが既存のＷＬＡＮインタワーキングメカニズムの測定配置中のターゲット周波数ポイントを全周波数測定に変更する。
【００９６】
切り替え／再選択に失敗して、ＵＥがソースセルに戻ると、ＵＥがＷＬＡＮ測定のターゲット周波数ポイントをソースセルに対応するＷＬＡＮ測定配置に変更することが好ましい。
【００９７】
ｃ）、（端末側）ＵＥがソースネットワークでＨＯプロセス又は再選択プロセスをトリガーし、又はＵＥがＨＯ／再選択を完成した後、ＵＥがターゲットセル(ｅＮＢ／ＲＮＣ)又はＡＮＤＳＦにターゲットセルに対応するＷＬＡＮ測定配置を要求する。
【００９８】
ＵＥがソースセルに送信するＡ３測定レポートに該要求を付加し、ソースセルが該要求を切り替え要求メッセージを介してターゲットセルに送信し、又は、ＵＥが切り替え又は再選択を完成した後、ターゲットセルでネットワーク側との接続を介して該要求を送信し、又はＵＥがＴＡＵ又はＲＡＵプロセスにおいて該要求を付加してソースセル又はＡＮＤＳＦに送信することが好ましい。
【００９９】
ｄ）、（端末側）ＵＥがソースネットワークでＨＯプロセス又は再選択プロセスをトリガーし、又はＵＥがＨＯ／再選択を完成した後、ＵＥは、ターゲットセルに対応するＷＬＡＮ測定配置を受信するまで、ＷＬＡＮ測定を一時的に停止するか又は遅延する。
【０１００】
ｃ、ｄにおいて、切り替え／再選択に失敗し、ＵＥがソースセルに戻ると、ＵＥがソースセルのＷＬＡＮ測定配置を使用してＷＬＡＮ測定を行うことが好ましい。
【０１０１】
ａ、ｂ、ｃ、ｄにおいて、ＵＥがソースセルでＨＯプロセス又は再選択プロセスをトリガーし、且つＵＥがターゲットセルに対応するＷＬＡＮ測定配置を受信する前、ＵＥがＷＬＡＮインタワーキングメカニズム測定レポートをトリガーすると、以下の方法の中の一つを用いることが好ましい：
Ａ、ＵＥが該測定レポートを削除する。
【０１０２】
Ｂ、ターゲットセルがＷＬＡＮインタワーキングメカニズムを支援しないと、ＵＥが該測定レポートを削除する。
【０１０３】
Ｃ、ＵＥが以下の方法でターゲットセルに測定レポートを送信する。
【０１０４】
方法１について、ソースセルがターゲットセルに切り替え要求を送信していないと、ＵＥが前記測定レポートをソースセルに送信し、ソースセルが切り替え要求メッセージを介して前記測定レポートをターゲットセルに送信し、又は、
方法２について、ＵＥがターゲットセルに切り替え又は再選択した後、ＵＥがターゲットセルと接続を確立して前記測定レポートを送信し、ＵＥが切り替え又は再選択プロセスを完成していないと、ＵＥが該測定レポートをバッファリングする。
【０１０５】
Ｃによると、ＵＥが測定レポートに該報知に対応するＷＬＡＮ測定配置の全部又は一部のパラメーターを含ませて、サービングセルが該測定レポートを用いて該ＵＥのＷＬＡＮインタワーキング戦略を決定することができるか否かを決定するようにサポートする。
【０１０６】
以下、幾つかの実施例を結合して説明する。
【０１０７】
実施例１：ａ）に対応する。
【０１０８】
実施例が適合する状況はＬＴＥシステムとＵＭＴＳシステムを含む。
【０１０９】
ソースセルとターゲットセルはＬＴＥシステムのｅＮｏｄｅＢ、又はＵＭＴＳシステムのＲＮＣ又はＮｏｄｅＢであることができる。ソースセルとターゲットセルはいずれもＷＬＡＮインタワーキングメカニズムを支援する。
【０１１０】
セルの切り替えを行う場合：
図２は本発明の好適な実施例１に係るセル切り替え状況のフローチャートで、図２に示すように、該プロセスは以下のステップを含む。
【０１１１】
ＵＥはソースセルに位置する場合、ソースセルに対応するＷＬＡＮインタワーキングメカニズム測定配置を使用してＷＬＡＮ測定を行って（ステップＳ２０１）、該ソースセルに対応するＷＬＡＮインタワーキングメカニズム測定配置はソースセル基地局によりＵＥに送信し（背景技術に記載の方案３を用いる場合）、又はＵＥはソースセルに位置する場合ソースセルに対応するＷＬＡＮインタワーキングメカニズム測定配置に基づいてＷＬＡＮ測定を行って（ステップＳ２０１ａ）、該ソースセルに対応するＷＬＡＮインタワーキングメカニズム測定配置はＡＮＤＳＦによりＵＥに送信し（背景技術に記載の方案１又は方案２を用いる場合）、又は事業者がバックステージを操作保守することで、ＵＥに配置し、又は事業者が契約する際にＵＥに配置する。
【０１１２】
ＵＥがソースセルでＨＯプロセスをトリガーし、ＵＥがターゲットセルに対応するＷＬＡＮインタワーキングメカニズム測定配置を受信する前（ステップＳ２０８又はＳ２０８ａの前）、ＵＥは継続して自分の既存のＷＬＡＮインタワーキングメカニズム測定配置に基づいてＷＬＡＮ測定を実行する（ステップＳ２０２）。ステップＳ２０３〜ステップＳ２０７に当該切り替えステップを示す：ステップＳ２０３において、３ＧＰＰの測定レポートを送信し、ステップＳ２０４において、ソースセルが切り替え要求を送信し、ステップＳ２０５において、ターゲットセルが切り替え応答を送信し、ステップＳ２０６において、ソースセルが端末（即ち、ユーザ機器）に切り替え命令を送信し、ステップＳ２０７において、端末がターゲットセルに切り替えする。
【０１１３】
当該プロセスにおいて、ＵＥが切り替えプロセスを完成し、ターゲットセルに切り替えした後、ターゲットセルからＷＬＡＮインタワーキングメカニズム測定に関する補助パラメーターを取得すると、ＵＥがＷＬＡＮ測定に関する補助パラメーターを用いて、自分の既存のＷＬＡＮ測定配置中の対応するパラメーターを更新することが好ましい、。また、ＷＬＡＮ測定に関する補助パラメーターをターゲットセルがシステムメッセージ又は専用シグナルを介して端末に送信することが好ましい。
【０１１４】
ここで、前記ＷＬＡＮインタワーキングメカニズム測定に関する補助パラメーターについて背景技術部分の記載を参照することができ、システムが背景技術に記載の方案１を用いて、システムが背景技術に記載の方案２を用いていると、上記方案１の補助パラメーター以外に、ネットワーク側の所望とＷＬＡＮインタワーキングの業務タイプインジケータを更に含む。
【０１１５】
ＵＥがターゲットセルに対応するＷＬＡＮインタワーキングメカニズム測定配置を受信した場合、ＵＥは前記ターゲットセルに対応するＷＬＡＮ測定配置に基づいてＷＬＡＮ測定を行うことが好ましい。前記ターゲットセルに対応するＷＬＡＮ測定配置をターゲットセル基地局(ＬＴＥシステムのｅＮｏｄｅＢ又はＵＭＴＳシステムのＲＮＣ)又はＡＮＤＳＦがＵＥに送信することができる。
【０１１６】
セルを再選択する場合：
図３は本発明の好適な実施例１に係るセル再選択状況のフローチャートで、セル切り替え状況に類似し、図３に示すように、該プロセスは以下のステップを含む：
端末がソースセルでまず、ソースセルに対応するＷＬＡＮインタワーキングメカニズム測定配置に基づいてＷＬＡＮ測定を行う（ステップＳ３０１）。同時に、端末も３ｇｐｐセル（即ち、ソースセルと隣接するセル）の信号品質測定を行う（ステップＳ３０２）。
【０１１７】
端末による３ｇｐｐセルの測定結果がセル再選択の基準を満たすと、ＵＥはターゲットセルに対応するＷＬＡＮインタワーキングメカニズム測定配置を受信する前、ＵＥは継続して自分の既存のＷＬＡＮインタワーキングメカニズム測定配置に基づいてＷＬＡＮ測定を行う（ステップＳ３０３）。
【０１１８】
端末がターゲットセルを再選択する（ステップＳ３０４）。
【０１１９】
ターゲットセルに対応するＷＬＡＮインタワーキングメカニズムの測定配置を受信する（ステップＳ３０５）。
【０１２０】
ＵＥがターゲットセルに対応するＷＬＡＮインタワーキングメカニズム測定配置を受信した後、ＵＥが前記ターゲットセルに対応するＷＬＡＮ測定配置に基づいてＷＬＡＮ測定を行う。前記ターゲットセルに対応するＷＬＡＮ測定配置をターゲットセル基地局(ＬＴＥシステムのｅＮｏｄｅＢ又はＵＭＴＳシステムのＲＮＣ)又はＡＮＤＳＦがＵＥに送信することができる。
【０１２１】
ＵＥがソースセルでＨＯプロセス又は再選択プロセスをトリガーし、又はＵＥがセルＨＯ又は再選択を完成した後、且つＵＥがターゲットセルに対応するＷＬＡＮ測定配置を受信する前、ＵＥがＷＬＡＮインタワーキングメカニズム測定レポートをトリガーすると、以下の方法の中の一つで前記測定レポートを処理することが好ましい：
ＵＥが該測定レポートを削除し、また、ターゲットセルがＷＬＡＮインタワーキングメカニズムを支援するか否かを判定し、ターゲットセルがＷＬＡＮインタワーキングメカニズムを支援しないと、ＵＥが該測定レポートを削除することが好ましい。
【０１２２】
ＵＥがターゲットセルに測定レポートを送信することが具体的に、ソースセルがターゲットセルに切り替え要求を送信していないと、ＵＥが前記測定レポートをソースセルに送信し、ソースセルが切り替え要求メッセージを介して前記測定レポートをターゲットセルに送信することと、又は、ＵＥがターゲットセルに切り替え又は再選択した後、ＵＥがターゲットセルと接続を確立して前記測定レポートを送信することと、ＵＥが切り替え又は再選択プロセスを完成していないと、ＵＥが該測定レポートをバッファリングすることとを含む。
【０１２３】
該測定レポートはＵＥがソースセルに対応するＷＬＡＮ測定配置に基づいて得たもので、一部の測定配置パラメーターがターゲットセルのＷＬＡＮ測定配置パラメーターと異なっている可能性があるので、ターゲットセルが該測定レポートを利用できるようにサポートするため、ＵＥが測定レポートに、用いたＷＬＡＮ測定配置の全部又は一部のパラメーターを付加することで、ターゲットセルが該測定レポートを用いて該ＵＥのＷＬＡＮインタワーキング戦略を決定することができるか否かを決定するようにサポートする。
【０１２４】
本実施例の方案によると、ＵＥがソースセルのＷＬＡＮ測定配置に基づいてＷＬＡＮ測定を行って、ＷＬＡＮインタワーキングメカニズム測定レポートを発生するので、ＵＥによるターゲットセルでのＷＬＡＮインタワーキングも援助でき、ユーザ体験の向上及びＵＥによるターゲットセルでのＷＬＡＮインタワーキング戦略の速度の向上にも有利であるメリットを有する。
【０１２５】
実施例２：ｂ）に対応する。
【０１２６】
実施例が適合する状況はＬＴＥシステムとＵＭＴＳシステムとを含む。
【０１２７】
ソースセルとターゲットセルはＬＴＥシステムのｅＮｏｄｅＢ、又はＵＭＴＳシステムのＲＮＣ又はＮｏｄｅＢであることができる。ソースセルとターゲットセルはいずれもＷＬＡＮインタワーキングメカニズムをサポートする。
【０１２８】
図４は本発明の好適な実施例２に係るフローチャートで、図４に示すように、ＵＥがソースセルでＨＯプロセス又は再選択プロセスをトリガーし、端末がＨＯプロセス又は再選択プロセスにおいてターゲットセルに対応するＷＬＡＮ測定配置を受信したか否かを判定し、
受信していないと、ＵＥが自分の既存のＷＬＡＮインタワーキングメカニズムの測定配置中のターゲット周波数ポイントを全周波数に変更し、これに基づいてＷＬＡＮ測定を行う。当該方法によると、ソースセルのＷＬＡＮインタワーキングメカニズムの測定配置中のターゲット周波数ポイントとターゲットセルのＷＬＡＮインタワーキングメカニズムの測定配置中のターゲット周波数ポイントとの情報差が大きいのでＵＥによるＷＬＡＮ測定結果がターゲットセルでのＷＬＡＮインタワーキング戦略の決定で参照価値がなくなることを避けることができるメリットを有する。
【０１２９】
受信していると、ＵＥは受信したターゲットセルに対応するＷＬＡＮ測定配置に基づいてＷＬＡＮ測定を行う。
【０１３０】
ＨＯプロセス又は再選択プロセスを終了すると、ＵＥはセル切り替え又はセル再選択に成功したか否かに基づいて異なる操作を行う。
【０１３１】
ＵＥのセル切り替え又はセル再選択に成功し、この時、ＵＥがターゲットセルに対応するＷＬＡＮ測定配置をまだ受信できでないと、ＵＥは継続して自分の既存のＷＬＡＮ測定配置に基づいてＷＬＡＮ測定を行い、ターゲットセルに対応するＷＬＡＮ測定配置を受信すると、ＵＥが前記ターゲットセルに対応するＷＬＡＮ測定配置を使用する。「既存の」とは、この時ＵＥが既にターゲットセルのＷＬＡＮ測定配置を受信した可能性があれば、受信できていない可能性があることを表す。
【０１３２】
ＵＥのセル切り替え又はセル再選択に成功していないと、ＵＥがＷＬＡＮ測定のターゲット周波数ポイントをソースセルに対応するＷＬＡＮ測定配置に変更し、これに基づいてＷＬＡＮ測定を行う。
【０１３３】
上記プロセスを、ＵＥがセル切り替え又はセル再選択プロセスを完成した後、ＵＥがターゲットセルに対応するＷＬＡＮ測定配置を受信していないと、ＵＥが自分の既存のＷＬＡＮインタワーキングメカニズムの測定配置中のターゲット周波数ポイントを全周波数に変更するに変えることが好ましい。
【０１３４】
切り替え又は再選択プロセスにおいて、前記ターゲットセルに対応するＷＬＡＮ測定配置をＡＮＤＳＦによりＵＥに送信することができれば（この時、ＨＯ又は再選択プロセス中である可能性があれば、これらのプロセス中ではない可能性もある）、ＵＥが切り替え／再選択プロセスを成功的に完成した後、ターゲットセルによりＵＥに送信することもできる。
【０１３５】
実施例３：ｃ)に対応する。
【０１３６】
実施例が適合する状況はＬＴＥシステムとＵＭＴＳシステムとを含む。
【０１３７】
ソースセルとターゲットセルはＬＴＥシステムのｅＮｏｄｅＢ、又はＵＭＴＳシステムのＲＮＣ又はＮｏｄｅＢであることができる。ソースセルとターゲットセルはいずれもＷＬＡＮインタワーキングメカニズムをサポートする。
【０１３８】
本実施例において、ＵＥがソースネットワークでＨＯプロセス又は再選択プロセスをトリガーし、又はＵＥがＨＯ／再選択を完成した後、ＵＥがターゲットセル(ｅＮＢ／ＲＮＣ)又はＡＮＤＳＦに主動にターゲットセルに対応するＷＬＡＮ測定配置を要求し、該要求方法は以下の方法の中の少なくとも一つを含む：
方式１について、ＵＥがソースセルに送信する３ｇｐｐセル測定レポートに該要求を付加し、ソースセルが該要求を切り替え要求メッセージを介してターゲットセルに送信し、ターゲットセルは切り替え応答メッセージを介してターゲットセルに対応するＷＬＡＮ測定配置をソースセルに送信することができ、ソースセルが該ＷＬＡＮ測定配置をＵＥに送信する。
【０１３９】
方式２について、ＵＥがＨＯ又は再選択を完成した後、ターゲットセルでネットワーク側との接続を開始して該要求を送信することができ、例えばターゲットセルで接続を確立し、ＲＲＣ接続確立プロセスにおいて該要求を付加し、又はアップリンク専用シグナルに該要求を付加し、ターゲットセルはダウンリンク専用シグナルを介してＷＬＡＮ測定配置をＵＥに送信する。
【０１４０】
方式３について、ＵＥがＴＡＵ又はＲＡＵ又はＬＡＵプロセスに該要求を付加してＡＮＤＳＦに送信し、ＡＮＤＳＦはフォードバックシグナルを介してターゲットセルに対応するＷＬＡＮ測定配置をＵＥに送信する。
【０１４１】
方式４について、ＵＥがＨＯ又は再選択を完成した後、ＴＡＵ又はＲＡＵ又はＬＡＵプロセスに該要求を付加してソースセルに送信する。ターゲットセルは専用シグナルを介してＷＬＡＮ測定配置をＵＥに送信することができ、送信方式はダウンリンク専用シグナルを用いることができる。
【０１４２】
ＵＥが要求したターゲットセルに対応するＷＬＡＮ測定配置を受信した後、該ＷＬＡＮ測定配置に基づいてＷＬＡＮ測定を行うことが好ましい。
【０１４３】
実施例４：ｄ）に対応する。
【０１４４】
実施例が適合する状況はＬＴＥシステムとＵＭＴＳシステムを含む。
【０１４５】
ソースセルとターゲットセルはＬＴＥシステムのｅＮｏｄｅＢ、又はＵＭＴＳシステムのＲＮＣ又はＮｏｄｅＢであることができる。ソースセルとターゲットセルはいずれもＷＬＡＮインタワーキングメカニズムをサポートする。
【０１４６】
本実施例において、ＵＥがソースネットワークでＨＯプロセス又は再選択プロセスをトリガーし、ＵＥは、ターゲットセルに対応するＷＬＡＮ測定配置を受信するまで、ＷＬＡＮ測定を停止又は遅延する。
【０１４７】
又は、ＵＥがＨＯプロセス又は再選択プロセスを完成した後、ＵＥは、ターゲットセルに対応するＷＬＡＮ測定配置を受信するまで、ＷＬＡＮ測定を停止又は遅延する。
【０１４８】
本実施例によると、実施の複雑性を低下させると共に、ソースセルのＷＬＡＮ測定配置がターゲットセルと異なってＵＥによる測定が無効になってしまうリスクを避けることができるメリットを有する。
【０１４９】
当業者にとって、上記の本発明の各ブロック又は各ステップは共通の計算装置によって実現することができ、単独の計算装置に集中させることができれば、複数の計算装置から構成されるネットワークに分布させることもでき、更に計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。
【０１５０】
以上は、本発明の好適な実施例に過ぎず、本発明を限定するものではない。当業者であれば本発明にさまざまな修正や変形が可能である。本発明の精神や原則内での如何なる修正、置換、改良などは本発明の保護範囲内に含まれる。
【産業上の利用可能性】
【０１５１】
本発明の実施例で提供する技術方案を通信分野に応用することができ、関連技術におけるセルの切り替え又はセルの再選択において測定配置を如何に処理するかの問題を解決でき、セルの切り替え又は再選択の測定配置の処理が一層好適である。
【図１】
2016529810.tif 000003
【図２】
2016529810.tif 000004
【図３】
2016529810.tif 000005
【図４】
2016529810.tif 000006
【手続補正書】
【提出日】平成28年4月7日(2016.4.7)
【手続補正１】
【補正対象書類名】特許請求の範囲
【補正対象項目名】全文
【補正方法】変更
【補正の内容】
【特許請求の範囲】
【請求項１】
ソースセルで切り替えプロセス又は再選択プロセスをトリガーした後、ユーザ機器が、
前記ユーザ機器が継続して現在の無線ローカルエリアネットワークＷＬＡＮインタワーキングメカニズムの測定配置を使用することと、
前記ユーザ機器が前記現在のＷＬＡＮインタワーキングメカニズムの測定配置中のターゲット周波数ポイントを全周波数測定に変更することと、
前記ユーザ機器がターゲットセルに対応するＷＬＡＮインタワーキングメカニズムの測定配置を要求することと、
前記ユーザ機器がターゲットセルに対応するＷＬＡＮインタワーキングメカニズムの測定配置を受信するまでＷＬＡＮインタワーキングメカニズム測定を一時的に停止することの中の少なくとも一つによって無線ローカルエリアネットワークＷＬＡＮインタワーキングメカニズムの測定配置を処理することを含む測定配置処理方法。
【請求項２】
前記ユーザ機器が前記ターゲットセルに対応するＷＬＡＮインタワーキングメカニズムの測定配置を受信する前、継続して現在のＷＬＡＮインタワーキングメカニズムの測定配置を使用し、前記ターゲットセルに対応するＷＬＡＮインタワーキングメカニズムの測定配置が、アクセスネットワーク発見選択機能ユニットＡＮＤＳＦから送信されたものであるか、又は前記ターゲットセルから送信されたものである請求項１に記載の方法。
【請求項３】
前記ユーザ機器が前記現在のＷＬＡＮインタワーキングメカニズムの測定配置中のターゲット周波数ポイントを全周波数測定に変更することが、
前記ユーザ機器が前記ソースセルで前記切り替えプロセス又は前記再選択プロセスをトリガーした後、前記ユーザ機器が前記ターゲットセルに対応するＷＬＡＮインタワーキングメカニズムの測定配置を受信していないと、前記ユーザ機器が前記現在のＷＬＡＮインタワーキングメカニズムの測定配置中のターゲット周波数ポイントを全周波数測定に変更することと、又は、
前記ユーザ機器が前記切り替えプロセス又は前記再選択プロセスを完成した後、前記ユーザ機器が前記ターゲットセルに対応するＷＬＡＮインタワーキングメカニズムの測定配置を受信していないと、前記ユーザ機器が前記現在のＷＬＡＮインタワーキングメカニズムの測定配置中のターゲット周波数ポイントを全周波数測定に変更することと、を含む請求項１に記載の方法。
【請求項４】
前記ユーザ機器が前記ターゲットセルに対応するＷＬＡＮインタワーキングメカニズムの測定配置を要求することが、
前記ユーザ機器が前記ソースセルに送信するセル測定レポートに要求を含ませて、前記ターゲットセルに対応するＷＬＡＮインタワーキングメカニズムの測定配置を要求することと、
前記ユーザ機器が前記切り替えプロセス又は前記再選択プロセスを完成した後、前記ターゲットセルで接続を確立して前記ターゲットセルに対応するＷＬＡＮインタワーキングメカニズムの測定配置を要求することと、
前記ユーザ機器がトラッキングエリア更新ＴＡＵ又はルーティングエリア更新ＲＡＵ又は位置エリア更新ＬＡＵプロセスにてＡＮＤＳＦに前記ターゲットセルに対応するＷＬＡＮインタワーキングメカニズムの測定配置を要求することと、
前記ユーザ機器が前記切り替えプロセス又は前記再選択プロセスを完成した後、前記ユーザ機器が前記ＴＡＵ又は前記ＲＡＵ又は前記ＬＡＵプロセスにて前記ターゲットセルに前記ターゲットセルに対応するＷＬＡＮインタワーキングメカニズムの測定配置を要求することの中の少なくとも一つを含む請求項１に記載の方法。
【請求項５】
前記ユーザ機器が前記ソースセルに送信するセル測定レポートに前記要求メッセージを含ませて前記ターゲットセルに対応するＷＬＡＮインタワーキングメカニズムの測定配置を要求した後、
前記ソースセルが前記要求を受信した後、前記要求を切り替え要求メッセージを介して前記ターゲットセルに送信することと、
前記ソースセルが前記ターゲットセルから送信された前記ターゲットセルに対応するＷＬＡＮインタワーキングメカニズムの測定配置を受信することと、
前記ソースセルが前記ターゲットセルに対応するＷＬＡＮインタワーキングメカニズムの測定配置を前記ユーザ機器に送信することと、を更に含み、
前記ソースセルが切り替え応答メッセージを介して前記ターゲットセルから送信された前記ターゲットセルに対応するＷＬＡＮインタワーキングメカニズムの測定配置を受信する請求項４に記載の方法。
【請求項６】
前記ユーザ機器が前記切り替えプロセス又は前記再選択プロセスを完成した後、前記ターゲットセルで接続を確立して前記ターゲットセルに対応するＷＬＡＮインタワーキングメカニズムの測定配置を要求した後、
前記ターゲットセルが前記要求を受信した後、前記ターゲットセルに対応するＷＬＡＮインタワーキングメカニズムの測定配置を前記ユーザ機器に送信することを更に含み、
前記ユーザ機器が前記切り替えプロセス又は前記再選択プロセスを完成した後、前記ターゲットセルで接続を確立して前記ターゲットセルに対応するＷＬＡＮインタワーキングメカニズムの測定配置を要求することが、
前記ユーザ機器が前記ターゲットセルで接続を確立し、ＲＲＣ接続確立プロセスにおいて前記要求を付加するか、又はアップリンク専用シグナルに前記要求を付加することを含み、及び/又は、
前記ＡＮＤＳＦ又は前記ターゲットセルが、ダウンリンク専用シグナルを介して、前記ターゲットセルに対応するＷＬＡＮインタワーキングメカニズムの測定配置を前記ユーザ機器に送信する請求項４に記載の方法。
【請求項７】
前記ユーザ機器がターゲットセルに対応するＷＬＡＮインタワーキングメカニズムの測定配置を受信するまでＷＬＡＮインタワーキングメカニズム測定を一時的に停止することが、
前記ユーザ機器が前記ソースセルで前記切り替えプロセス又は前記再選択プロセスをトリガーした後、前記ユーザ機器がターゲットセルに対応するＷＬＡＮインタワーキングメカニズムの測定配置を受信するまでＷＬＡＮインタワーキングメカニズム測定を一時的に停止することと、又は、
前記ユーザ機器が前記切り替えプロセス又は前記再選択プロセスを完成した後、前記ユーザ機器がターゲットセルに対応するＷＬＡＮインタワーキングメカニズムの測定配置を受信するまでＷＬＡＮインタワーキングメカニズム測定を一時的に停止することと、を含む請求項１に記載の方法。
【請求項８】
前記ユーザ機器が前記ソースセルに対応するＷＬＡＮインタワーキングメカニズムの測定配置をバッファリングし、前記切り替えプロセス又は再選択プロセスに失敗して、前記ユーザ機器が前記ソースセルと再び接続を確立し、又は前記ソースセルを再選択した場合、前記ユーザ機器が前記ターゲット周波数ポイントを前記ソースセルに対応するＷＬＡＮ測定配置に変更することをさらに含む請求項３又は４又は７に記載の方法。
【請求項９】
前記ソースセルで前記切り替えプロセス又は前記再選択プロセスをトリガーした後、且つ前記ユーザ機器が前記ターゲットセルに対応するＷＬＡＮ測定配置を受信する前、前記ユーザ機器がＷＬＡＮインタワーキングメカニズム測定レポートをトリガーした場合、
前記ユーザ機器が前記ＷＬＡＮインタワーキングメカニズム測定レポートを削除することと、
前記ユーザ機器が前記ターゲットセルに前記ＷＬＡＮインタワーキングメカニズム測定レポートを送信することの中の少なくとも一つをさらに含み、
前記ユーザ機器が前記ＷＬＡＮインタワーキングメカニズム測定レポートを削除することが、
前記ユーザ機器が、前記ターゲットセルがＷＬＡＮインタワーキングメカニズムを支援しない場合、前記ＷＬＡＮインタワーキングメカニズム測定レポートを削除することを含み、及び/又は、
前記ユーザ機器が前記ターゲットセルに前記ＷＬＡＮインタワーキングメカニズム測定レポートを送信することが、
前記ソースセルが前記ターゲットセルに切り替え要求を送信していない場合、前記ユーザ機器が前記ＷＬＡＮインタワーキングメカニズム測定レポートを前記ソースセルに送信し、前記ソースセルが切り替え要求メッセージを介して、前記ＷＬＡＮインタワーキングメカニズム測定レポートを前記ターゲットセルに送信することと、
前記ユーザ機器が前記ターゲットセルに切り替え又は再選択した後、前記ユーザ機器が前記ターゲットセルと接続を確立してバッファリングしていた前記ＷＬＡＮインタワーキングメカニズム測定レポートを送信することと、を含む請求項１に記載の方法。
【請求項１０】
前記ＷＬＡＮインタワーキングメカニズム測定レポートを前記ターゲットセルに送信した後、
前記ターゲットセルが受信した前記ＷＬＡＮインタワーキングメカニズム測定レポートに基づいて、前記ユーザ機器に対するＷＬＡＮインタワーキング戦略を行うことと、
前記ターゲットセルが前記戦略に対応する戦略命令を切り替えプロセスのシグナル交換を介して前記ソースセルに送信し、前記ソースセルが前記戦略命令を前記ユーザ機器に送信することと、又は、前記ターゲットセルが前記ユーザ機器と確立した接続を介して、前記戦略命令を前記ユーザ機器に送信することとを更に含む請求項９に記載の方法。
【請求項１１】
ユーザ機器に位置される測定配置処理装置であって、
ソースセルで切り替えプロセス又は再選択プロセスをトリガーした後、
継続して現在のＷＬＡＮインタワーキングメカニズムの測定配置を使用することと、
前記現在のＷＬＡＮインタワーキングメカニズムの測定配置中のターゲット周波数ポイントを全周波数測定に変更することと、
ターゲットセルに対応するＷＬＡＮインタワーキングメカニズムの測定配置を要求することと、
前記ユーザ機器がターゲットセルに対応するＷＬＡＮインタワーキングメカニズムの測定配置を受信するまでＷＬＡＮインタワーキングメカニズム測定を一時的に停止すること
の中の少なくとも一つによってＷＬＡＮインタワーキングメカニズムの測定配置を処理するように構成された測定配置処理モジュールを含む測定配置処理装置。
【請求項１２】
ターゲットセルに対応するＷＬＡＮインタワーキングメカニズムの測定配置を要求するための前記ユーザ機器から送信された要求を受信することと、前記ターゲットセルは前記ユーザ機器がトリガーした切り替えプロセス又は再選択プロセスのターゲットセルであって、
前記ターゲットセルに対応するＷＬＡＮインタワーキングメカニズムの測定配置を前記ユーザ機器に送信することと、を含む測定配置処理方法。
【請求項１３】
前記ユーザ機器から送信された前記要求を受信することが、
ソースセルが前記ユーザ機器から送信された前記要求を含むセル測定レポートを受信することと、
前記ターゲットセルが、前記ユーザ機器が前記切り替えプロセス又は前記再選択プロセスを完成した後、前記ユーザ機器と確立した接続を介して前記要求を受信することと、
ＡＮＤＳＦがＴＡＵ又はＲＡＵ又はＬＡＵプロセスにおいて前記要求を受信することと、
前記ターゲットセルが、前記ユーザ機器が前記切り替えプロセス又は前記再選択プロセスを完成した後、前記ＴＡＵ又は前記ＲＡＵ又は前記ＬＡＵプロセスにおいて前記要求を受信することの中の少なくとも一つを含み、
前記ＡＮＤＳＦ又は前記ターゲットセルが前記ＴＡＵ又は前記ＲＡＵ又は前記ＬＡＵプロセスにおいて前記要求を受信した後、
前記ＡＮＤＳＦ又は前記ターゲットセルが前記ターゲットセルに対応するＷＬＡＮインタワーキングメカニズムの測定配置を前記ユーザ機器に送信し、及び/又は、
前記ターゲットセルが前記ユーザ機器と確立した前記接続を介して前記要求を受信した後、
前記ターゲットセルが前記ターゲットセルに対応するＷＬＡＮインタワーキングメカニズムの測定配置を前記ユーザ機器に送信することを更に含む請求項１２に記載の方法。
【請求項１４】
前記ソースセルが前記ユーザ機器から送信された前記セル測定レポートを受信した後、
前記ソースセルが、前記要求を切り替え要求メッセージを介して前記ターゲットセルに送信することと、
前記ソースセルが前記ターゲットセルから送信された前記ターゲットセルに対応するＷＬＡＮインタワーキングメカニズムの測定配置を受信することと、
前記ソースセルが前記ターゲットセルに対応するＷＬＡＮインタワーキングメカニズムの測定配置を前記ユーザ機器に送信することと、を更に含み、
前記ソースセルが切り替え応答メッセージを介して前記ターゲットセルから送信された前記ターゲットセルに対応するＷＬＡＮインタワーキングメカニズムの測定配置を受信する請求項１３に記載の方法。
【請求項１５】
前記ターゲットセルが前記ユーザ機器から送信されたＷＬＡＮインタワーキングメカニズム測定レポートを受信することを更に含み、ここで、前記ＷＬＡＮインタワーキングメカニズム測定レポートの送信は、前記ソースセルで前記切り替えプロセス又は前記再選択プロセスをトリガーした後且つ前記ユーザ機器が前記ターゲットセルに対応するＷＬＡＮ測定配置を受信する前に行われ、前記ユーザ機器によってトリガーされる請求項１４に記載の方法。
【請求項１６】
前記ターゲットセルが前記ユーザ機器から送信された前記ＷＬＡＮインタワーキングメカニズム測定レポートを受信することが、
前記ターゲットセルがソースセルから送信された切り替え要求メッセージを受信することと、ここで、前記切り替え要求メッセージに前記ＷＬＡＮインタワーキングメカニズム測定レポートを含み、前記ソースセルの前記ＷＬＡＮインタワーキング測定レポートは前記ユーザ機器から受信したものであって、
前記ターゲットセルは、前記ユーザ機器が前記ターゲットセルに切り替え又は再選択した後、前記ユーザ機器と確立した接続を介して前記ユーザ機器がバッファリングしていた前記ＷＬＡＮインタワーキングメカニズム測定レポートを受信することの中の少なくとも一つを含む請求項１５に記載の方法。
【請求項１７】
前記ターゲットセルが前記ユーザ機器から送信されたＷＬＡＮインタワーキングメカニズム測定レポートを受信した後、
前記ターゲットセルが受信した前記ＷＬＡＮインタワーキングメカニズム測定レポートに基づいて、前記ユーザ機器に対するＷＬＡＮインタワーキング戦略を決定することと、
前記ターゲットセルが前記戦略に対応する戦略命令を切り替えプロセスのシグナル交換を介して前記ソースセルに送信し、前記ソースセルが前記戦略命令を前記ユーザ機器に送信することと、又は、前記ターゲットセルが前記ユーザ機器と確立した接続を介して、前記戦略命令を前記ユーザ機器に送信することと、を更に含む請求項１６に記載の方法。
【請求項１８】
ネットワーク側の機器に位置する測定配置処理装置であって、
ターゲットセルに対応するＷＬＡＮインタワーキングメカニズムの測定配置を要求するための前記ユーザ機器から送信された要求を受信するように構成された受信モジュールと、ここで、前記ターゲットセルは前記ユーザ機器がトリガーした切り替えプロセス又は再選択プロセスのターゲットセルであって、
前記ターゲットセルに対応するＷＬＡＮインタワーキングメカニズムの測定配置を前記ユーザ機器に送信するように構成された送信モジュールと、を含む測定配置処理装置。
【国際調査報告】
2016529810.tif 000007
2016529810.tif 000008
2016529810.tif 000009
2016529810.tif 000010